(57)【要約】【課題】  放送時間等が重複する番組情報が複数存在する場合でも，番組情報を効率的に選択するための番組表を表示させることが可能な番組表表示方法，番組表表示装置，およびコンピュータプログラムを提供する。【解決手段】  番組表表示方法，番組表表示装置，およびコンピュータプログラムは，複数の放送局で少なくとも１日に放送する番組の番組情報を受信する受信処理と，時間軸と日付軸とから構成される２次元の番組表に番組情報の表示領域である複数のセルを配置し，該セルに，番組情報を表示させる表示制御処理と，放送日が少なくとも同日で放送時間が重複する番組情報が複数存在する場合，少なくとも当該セルの表示態様を変更する変更処理とを含むことを特徴としている。【選択図】    図１
2005244869.tif 000002
【特許請求の範囲】
【請求項１】
少なくとも１又は２以上の放送局で放送する番組の放送内容が含まれた番組情報を番組表に表示させる番組表表示方法であって：
複数の放送局で少なくとも１日に放送する番組内容が含まれる番組情報を受信する受信処理と；
時間軸と日付軸とから構成される２次元の番組表に番組情報の表示領域である複数のセルを配置し，該セルに，番組ごとの番組情報を表示させる表示制御処理と；
少なくとも放送日が同日で放送時間が重複する番組情報が複数存在する場合，少なくとも当該セルの表示態様を変更する変更処理と；
を含むことを特徴とする，番組表表示方法。
【請求項２】
前記変更処理は，彩度，明度，または色度のうち少なくとも一つを変更することで，前記セルの表示態様を変更することを特徴とする，請求項１に記載の番組表表示方法。
【請求項３】
前記変更処理は，前記セル内に前記重複する番組情報の個数を表わす指標を付することで表示態様を変更することを特徴とする，請求項１に記載の番組表表示方法。
【請求項４】
前記変更処理は，前記セルに表示される番組情報の表記の態様を変更することを特徴とする，請求項１に記載の番組表表示方法。
【請求項５】
前記変更処理は，前記セルに表示される番組情報の表記を点滅させることを特徴とする，請求項１に記載の番組表表示方法。
【請求項６】
前記セルには，１つの番組情報のみが表示されることを特徴とする，請求項１に記載の番組表表示方法。
【請求項７】
前記番組表表示方法は，前記放送日が少なくとも同日で放送時間が重複する複数の番組情報を一覧表示する表示制御処理が，さらに含まれることを特徴とする，請求項６に記載の番組表表示方法。
【請求項８】
前記番組表表示方法は，前記放送日が少なくとも同日で放送時間が重複する複数の番組情報のうちいずれか一つを選択する番組選択処理が，さらに含まれることを特徴とする，請求項１に記載の番組表表示方法。
【請求項９】
前記表示制御処理は，前記放送日が少なくとも同日で放送時間が重複する複数の番組情報全てを，少なくとも上下左右のいずれかの方向に表示することを特徴とする，請求項７に記載の番組表表示方法。
【請求項１０】
前記番組選択処理は，少なくともカーソルの移動先のセルに表示される番組情報を選択することを特徴とする，請求項８に記載の番組表表示方法。
【請求項１１】
少なくとも１又は２以上の放送局で放送する番組内容が含まれた番組情報を番組表に表示させる番組表表示装置であって：
複数の放送局で少なくとも１日に放送する番組の番組情報を受信する受信部と；
時間軸と日付軸とから構成される２次元の番組表に番組情報の表示領域である複数のセルを配置し，該セルに，番組ごとの番組情報を表示させる表示制御部と；
放送日が少なくとも同日で放送時間が重複する番組情報が複数存在する場合，当該セルの表示態様を変更する変更部と；
を含むことを特徴とする，番組表表示装置。
【請求項１２】
前記変更部は，彩度，明度，または色度のうち少なくとも一つを変更することで，前記セルの表示態様を変更することを特徴とする，請求項１１に記載の番組表表示装置。
【請求項１３】
前記変更部は，前記セル内に前記重複する番組情報の個数を表わす指標を付することで表示態様を変更することを特徴とする，請求項１１に記載の番組表表示装置。
【請求項１４】
前記変更部は，前記セルに表示される番組情報の表記の態様を変更することを特徴とする，請求項１１に記載の番組表表示装置。
【請求項１５】
前記変更部は，前記セルに表示される番組情報の表記を点滅させることを特徴とする，請求項１１に記載の番組表表示装置。
【請求項１６】
前記セルには，１つの番組情報のみが表示されることを特徴とする，請求項１１に記載の番組表表示装置。
【請求項１７】
前記番組表表示装置は，前記放送日が少なくとも同日で放送時間が重複する複数の番組情報を一覧表示する表示制御部が，さらに含まれることを特徴とする，請求項１６に記載の番組表表示装置。
【請求項１８】
前記番組表表示装置は，前記放送日が少なくとも同日で放送時間が重複する複数の番組情報のうちいずれか一つを選択する番組選択部が，さらに含まれることを特徴とする，請求項１１に記載の番組表表示装置。
【請求項１９】
前記表示制御部は，前記放送日が少なくとも同日で放送時間が重複する複数の番組情報全てを，少なくとも上下左右のいずれかの方向に表示することを特徴とする，請求項１７に記載の番組表表示装置。
【請求項２０】
前記番組選択部は，少なくともカーソルの移動先のセルに表示される番組情報を選択することを特徴とする，請求項１８に記載の番組表表示装置。
【請求項２１】
複数の放送局で少なくとも１日に放送する番組内容が含まれる番組情報を受信する受信処理と；
時間軸と日付軸とから構成される２次元の番組表に番組情報の表示領域である複数のセルを配置し，該セルに，番組ごとの番組情報を表示させる表示制御処理と；
放送日が少なくとも同日で放送時間が重複する番組情報が複数存在する場合，少なくとも当該セルの表示態様を変更する変更処理と；
を含む番組表表示方法をコンピュータに実行させることを特徴とする，コンピュータプログラム。
【発明の詳細な説明】
【技術分野】
【０００１】
本発明は番組表を表示する表示方法，表示装置，およびコンピュータプログラムにかかり，特に電子番組ガイドの表示方法，表示装置，およびコンピュータプログラムに関する。
【背景技術】
【０００２】
現在では，様々な媒体を通じて視聴者に番組表が提供されている。上記番組表には，例えば，今日の番組表や，週間番組表，月間番組表などの他にも，スポーツ，音楽，映画などカテゴリごとの番組表を視聴者は見ることができる。
【０００３】
また，番組表のレイアウトとして，放送時間を表示する時間軸，放送日を表示する日付軸，もしくは番組を放送する放送局を表示する放送局軸のうち少なくとも２つ又は３つの軸を組み合わせた番組表のレイアウトである場合が多い（特許文献１参照）。
【０００４】
【特許文献１】特開２００１−１６９１９７号公報
【発明の開示】
【発明が解決しようとする課題】
【０００５】
しかしながら，時間軸と日付軸からなる番組表などの場合，目的の番組を検索するためには，各放送局の番組表から数多くの番組を確認する必要があったため，検索処理効率が上がらず，番組表を他の放送局に切換える処理等も非効率的であった。
【０００６】
上記検索効率を改善するため，他の放送局の番組表に切換えずに１つの番組表に集約した場合でも，放送日が同日で放送時間が重複する番組が存在する場合，番組情報も複数存在するため，番組のセル内に複数の番組情報を表示しても検索効率が改善されず，また１つの番組情報のみ表示すると全体の情報量は減るが他の番組情報を確認することができなかった。
【０００７】
本発明は，上記問題点に鑑みてなされたものであり，本発明の目的は，放送時間等が重複する番組情報が複数存在する場合でも，番組情報を効率的に選択するための番組表を表示させることが可能な，新規かつ改良された番組表表示方法，番組表表示装置，およびコンピュータプログラムを提供することである。
【課題を解決するための手段】
【０００８】
上記課題を解決するため，本発明の第１の観点によれば，少なくとも１又は２以上の放送局で放送する番組の放送内容が含まれた番組情報を番組表に表示させる番組表表示方法が提供される。上記番組表表示方法は，複数の放送局で少なくとも１日に放送する番組の番組情報を受信する受信処理と，時間軸と日付軸とから構成される２次元の番組表に番組情報の表示領域である複数のセルを配置し，該セルに，番組情報を表示させる表示制御処理と，放送日が少なくとも同日で放送時間が重複する番組情報が複数存在する場合，少なくとも当該セルの表示態様を変更する変更処理とを含むことを特徴としている。
【０００９】
本発明によれば，複数の放送局からの番組情報を受信し，時間軸と日付軸とから構成される番組表のセルに上記番組情報を表示する。表示された番組情報のうち放送日が少なくとも同日で放送時間が重複する番組情報が複数存在する場合，上記番組表のセルの表示態様を変更する。かかる構成により，１つの番組表に複数の放送局の番組情報が集約されているため番組表に表示された全番組情報の情報量を軽減可能であるとともに，上記重複する番組情報が複数存在する旨を示すことで，複数存在する箇所を把握でき，他の番組情報に効率的に切換えることができる。
【００１０】
変更処理は，彩度，明度，または色度のうち少なくとも一つを変更することで，セルの表示態様を変更するように構成してもよい。かかる構成により，利用者は，同日放送時間が重複する複数の番組情報の存在を容易に把握でき，適当な番組情報に表示を切換えて，番組情報を，効率的に表示することができる。したがって，利用者端末の検索処理に対する処理時間を短縮することができる。
【００１１】
変更処理は，前記セル内に前記重複する番組情報の個数を表わす指標を付することで表示態様を変更するように構成してもよい。かかる構成により，番組情報が多数なのか少数なのかを利用者に効率よく容易に示すことができ，利用者は番組情報の個数を参考に番組情報の選択をすることができる。
【００１２】
変更処理は，セルに表示される番組情報の表記の態様を変更するように構成してもよい。かかる構成によれば，少なくとも文字の書体が太字，細字，または斜体などに変更することにより，同日放送時間が重複する複数の番組情報の存在を視認性よく，効果的に示すことができる。
【００１３】
変更処理は，セルに表示される番組情報の表記を点滅させるように構成してもよく，セルには，１つの番組情報のみが表示されるように構成してもよい。
【００１４】
番組表表示方法は，放送日が少なくとも同日で放送時間が重複する複数の番組情報を一覧表示する表示制御処理が，さらに含まれるように構成してもよい。
【００１５】
番組表表示方法は，放送日が少なくとも同日で放送時間が重複する複数の番組情報のうちいずれか一つを選択する番組選択処理が，さらに含まれるように構成してもよい。
【００１６】
表示制御処理は，放送日が少なくとも同日で放送時間が重複する複数の番組情報の全てを，少なくとも上下左右のいずれかの方向に羅列して表示するように構成してもよい。
【００１７】
番組選択処理は，少なくともカーソルの移動先のセルに表示される番組情報を選択するように構成してもよい。
【００１８】
セルには，１の番組情報が表示されるように構成してもよい。またセルには，番組に紐付けられた関連情報が表示されるように構成してもよく，番組情報は，ＥＰＧ情報またはＥＣＧ情報で構成するようにしてもよい。
【００１９】
上記課題を解決するために，本発明の別の観点によれば，少なくとも１又は２以上の放送局で放送する番組内容が含まれた番組情報を番組表に表示させる番組表表示装置が提供される。上記番組表表示装置は，複数の放送局で少なくとも１日に放送する番組の番組情報を受信する受信部と，時間軸と日付軸とから構成される２次元の番組表に番組情報の表示領域である複数のセルを配置し，該セルに，番組ごとの番組情報を表示させる表示制御部と，放送日が少なくとも同日で放送時間が重複する番組情報が複数存在する場合，少なくとも当該セルの表示態様を変更する変更部とを含むことを特徴としている。
【００２０】
本発明によれば，番組表表示装置は，複数の放送局からの番組情報を受信し，時間軸と日付軸とから構成される番組表のセルに上記番組情報を表示する。表示画面上に表示された番組情報のうち放送日が少なくとも同日で放送時間が重複する番組情報が複数存在する場合，変更部は，上記番組表のセルの表示態様を変更する。かかる構成により，複数の番組表を生成する処理が不要となるため，番組表の生成効率の向上を図れる。また，上記重複する番組情報が複数存在する旨を画面に示すことで，利用者は，番組情報が重複する箇所を容易に把握できる。したがって，番組表表示装置は，重複する番組情報の中から他の番組情報に切換えれば，放送局の番組表全体を切換えなくとも済み，処理負荷が軽減される。
【００２１】
変更部は，彩度，明度，または色度のうち少なくとも一つを変更することで，セルの表示態様を変更するように構成してもよく，変更部は，セル内に重複する番組情報の個数を表わす指標を付することで表示態様を変更するように構成してもよい。
【００２２】
変更部は，セルに表示される番組情報の表記の態様を変更するように構成してもよく，変更部は，セルに表示される番組情報の表記を点滅させるように構成してもよい。また，上記セルには，１つの番組情報のみが表示されるように構成してもよい。
【００２３】
番組表表示装置は，放送日が少なくとも同日で放送時間が重複する複数の番組情報を一覧表示する表示制御部が，さらに含まれるように構成してもよい。
【００２４】
番組表表示装置は，放送日が少なくとも同日で放送時間が重複する複数の番組情報のうちいずれか一つを選択する番組選択部が，さらに含まれるように構成してもよい。
【００２５】
表示制御部は，放送日が少なくとも同日で放送時間が重複する複数の番組情報全てを，少なくとも上下左右のいずれかの方向に表示するよう構成してもよい。
【００２６】
番組選択部は，少なくともカーソルの移動先のセルに表示される番組情報を選択するように構成してもよい。
【００２７】
また，上記課題を解決するために，本発明の別の観点によれば，コンピュータプログラムが提供され，上記コンピュータプログラムは，複数の放送局で少なくとも１日に放送する番組内容が含まれる番組情報を受信する受信処理と，時間軸と日付軸とから構成される２次元の番組表に番組情報の表示領域である複数のセルを配置し，該セルに，番組ごとの番組情報を表示させる表示制御処理と，放送日が少なくとも同日で放送時間が重複する番組情報が複数存在する場合，少なくとも当該セルの表示態様を変更する変更処理とを含む番組表表示方法をコンピュータに実行させることを特徴としている。
【発明の効果】
【００２８】
以上説明したように，本発明によれば，放送時間等が重複する番組情報の複数存在する箇所を視覚的に示すことで，番組表を複数生成せずに済み，処理負荷の軽減が図れる。また，上記複数存在する番組情報のセルが選択された場合，当該複数存在する番組情報の一覧を表示することができる。利用者は，上記一覧表から適当な番組情報を選択し，番組表に表示される番組情報を容易に切換えることができる。
【発明を実施するための最良の形態】
【００２９】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００３０】
（１．番組情報提供システム）
まず，図１を参照しながら，本実施の形態にかかる番組表提供システム１００について説明する。図１は，本実施の形態にかかる番組情報提供システムの概略的な構成を示すブロック図である。
【００３１】
図１に示すように，本実施の形態にかかる番組表提供システム１００は，主にサービスを利用する利用者側と，サービスを提供する提供側との２つに区分される。上記利用者側には，少なくとも利用者端末（番組表表示装置）１０１と，録画端末１１７と，制御端末１１８とから少なくとも構成されている。なお，上記利用者端末１０１，録画端末１１７，および制御端末１１８は各１台から構成される場合を例に挙げて説明するが，かかる例に限定されず複数台の場合でもよい。
【００３２】
上記利用者端末１０１は，番組情報の一部であるＥＰＧ情報または番組メタ情報を放送波またはネットワーク１０３を介して受信したり，または番組映像等を受信し，画面に表示する機能等を有する。なお，放送波を介して番組メタ情報等を受信する場合，予め番組メタ情報を参照するためのメタ情報参照ＩＤなどの識別情報を受信する必要がある。
【００３３】
上記ネットワーク１０３は，図１に示すように，ネットワーク１０３ａとネットワーク１０３ｂとから少なくとも構成される。ネットワーク１０３ａは，例えば，ＣＡＴＶ（ケーブルテレビ）用に番組を利用者側に配信し，また利用者端末１０１とメールサーバ１２５との間を接続し，双方向にデータを送受信する。また，ネットワーク１０３ｂは，例えば，利用者端末１０１または番組予約サーバ１２９と，トランザクションサーバ１２７との間を接続し，双方向にデータを送受信する。
【００３４】
利用者端末１０１は，図１に示すように，ＴＶ（テレビジョン），ＳＴＢ（セット・トップ・ボックス），携帯電話，ＰＤＡ（Ｐｅｒｓｏｎａｌ  Ｄｉｇｉｔａｌ  Ａｓｓｉｓｔａｎｔ），またはＰＣ（Ｐｅｒｓｏｎａｌ  Ｃｏｍｐｕｔｅｒ）を例示することができるが，かかる例に限定されない。
【００３５】
上記録画端末１１７は，利用者端末１０１からの録画予約指示又は番組情報に基づき番組を録画する機能等を有する。また録画端末１１７は，ＰＶＲ（Ｐｅｒｓｏｎａｌ
Ｖｉｄｅｏ Ｒｅｃｏｒｄｅｒ），ＶＨＳなどの方式でテープに録画するＶＴＲ（Ｖｉｄｅｏ Ｔａｐｅ  Ｒｅｃｏｒｄｅｒ）などを例示することができるが，かかる例に限定されない。
【００３６】
なお，利用者端末１０１等に操作指示する制御端末１１８は，携帯電話１１８ａを例に挙げることができるが，かかる例に限定されず，例えば，赤外線等で利用者端末１１０に指示可能なリモートコントローラ（以下，リモコン）などの場合でも実施することができる。
【００３７】
次に，上記提供側には，放送局１０２（１０２ａ，１０２ｂ，…，１０２ｎ）と，委託放送事業者１１９（１１９ａ，１１９ｂ，…，１１９ｎ），受託放送事業者（１２１ａ，１２１ｂ，…，１２１ｎ），ＥＣＧサービス会社１０５，コンテンツ提供会社（コンテンツプロバイダー）１０４とから少なくとも構成される。
【００３８】
上記放送局１０２は，放送系，ＣＡＴＶ系，通信系と大別することができ，上記放送系には，地上波アナログ放送，地上波ディジタル放送，ＢＳアナログ，ＢＳディジタル，１２４度・１２８度ＣＳ放送，１１０度ＣＳ放送などを例示することができ，例えば，放送局１０２ａは，１２４度／１２８度のＣＳ（Ｃｏｍｍｕｎｉｃａｔｉｏｎ  Ｓａｔｅｌｌｉｔｅ）放送，ＣＳディジタル放送などを例示することができる。
【００３９】
また，上記ＣＡＴＶ系には，ＣＡＴＶディジタル放送，ＣＡＴＶアナログ放送などを例示することができ，上記通信系には，光ファイバ，ＡＤＳＬ，または電話モデムまたは携帯電話映像サービス等によるブロードバンド放送（ＢＢ放送）等を例示することができる。なお，携帯電話映像サービスは，例えばパケット通信などにより動画や，静止画，音楽などのコンテンツを配信するサービスである。
【００４０】
放送局１０２は，放送波などの電波をアップリンクまたはダウンリンクすることで，番組を利用者に伝送する。また，利用者から伝送された番組を視聴した分の料金等の徴収を行う。
【００４１】
また，放送局１０２は，利用者端末１０１に対して，各種の放送番組を放送するとともに，データ放送としてＥＰＧ情報，番組メタ情報などを管理または送出している。利用者端末１０１は，上記ＥＰＧ情報を受信することにより，ＥＰＧ（電子番組表）形式の番組表を表示することが可能になる。
【００４２】
なお，本実施の形態にかかる番組表は，放送局１０２または受託放送事業者１２１で放送する番組の放送番組表の場合を例に挙げて説明するが，かかる例に限定されない。例えば，ラジオ番組表などの場合であってもよい。
【００４３】
受託放送事業者１２１は，放送局１０２と同様に番組を放送するとともに，放送される番組の内容等を含む番組情報や，番組に関連する書籍等のコンテンツ情報を管理し，ＥＰＧ（Ｅｌｅｃｔｒｉｃ  Ｐｒｏｇｒａｍ  Ｇｕｉｄｅ）サービス及びＥＣＧ（Ｅｌｅｃｔｒｉｃ  Ｃｏｎｔｅｎｔ  Ｇｕｉｄｅ）サービスを行う。なお，上記ＥＰＧ，ＥＣＧについては後述する。また，番組情報は，後程説明するが，ＥＰＧ情報，番組メタ情報などの番組に関わる情報の総称である。
【００４４】
コンテンツ提供会社１０４（コンテンツホルダ）は，多種多様なコンテンツの実体を制作，管理，および提供する企業である。コンテンツホルダは，コンテンツにかかるコンテンツメタ情報も同様に作成する。制作されたコンテンツメタ情報は，ＥＣＧサービス会社１０５に提供される。
【００４５】
委託放送事業者１１９は，チャンネルを提供する企業であり，番組の制作や，番組の編成・送出等もする。例えば，委託放送事業者は，例えば，番組供給会社（番供）などを例示することができる。
【００４６】
ＥＣＧサービス会社１０５では，ＥＣＧサービス利用のため，放送局１０２又は受託放送事業者１２１からの依頼により，放送局１０２又は受託放送事業者１２１からの番組メタ情報と，コンテンツ提供会社１０４から提供されるコンテンツメタ情報とを紐付ける。
【００４７】
さらに，図１に示すように，放送局１０２には，番組の編成や番組の制作，ＥＰＧ情報の生成，番組の送出等をする放送設備装置１２６が備わる。放送設備装置１２６は，上記の通り，ＥＰＧとなる番組情報の作成，編成や，番組情報及びコンテンツ情報を管理し，ＥＰＧ又はＥＣＧサービスを行う。
【００４８】
委託放送事業者１１９は，ＥＰＧ制作／編成装置１３１を備え，上記ＥＰＧ制作／編成装置１３１は，番組情報を作成，編成し，編成された番組情報を定期的に受託放送事業者１２１に送信する。なお，ＥＰＧ制作／編成装置１３１は，コンテンツ情報を制作／編成してもよい。
【００４９】
受託放送事業者１２１は，ＥＰＧ送出装置１３３を備え，ＥＰＧ送出装置１３３によって，委託放送事業者１１９から送信された番組情報及び／又はコンテンツ情報を管理または送出し，ＥＰＧまたはＥＣＧサービスが行われる。また，コンテンツ情報に基づき，コンテンツメタ情報を生成してもよい。
【００５０】
なお，上記ＥＰＧ送出装置１３３は，番組情報及び／又はコンテンツ情報をグループ化装置１２２に送出する際に，放送波配信用とネットワーク１０３を介して送信するためのネットワーク配信用と，２種類の情報を送信可能なように，上記種類ごとに別体として装置が構成されてもよい。
【００５１】
また，ＥＰＧ送出装置１３３は，各放送局１０２からの編成情報などを入手し，電子番組表（ＥＰＧ）形式の番組情報などを生成する。なお，外部で生成された番組情報を取得してもよい。編成情報は，番組をスケジュール通り放送し，番組を進行するための情報である。
【００５２】
ＥＰＧ情報は，ＥＰＧ送出装置１３３又は放送設備装置１２６等から一括して利用者端末１０１に配信されるが，詳細情報等に係るコンテンツメタ情報等，その他の付加的なＥＣＧ（Ｅｌｅｃｔｒｏｎｉｃ  Ｃｏｎｔｅｎｔｓ  Ｇｕｉｄｅ）情報は，サービスの提供側である放送局１０２内で独自に管理することができる。
【００５３】
なお，上記受託放送事業者１２１に備わるＥＰＧ送出装置１３３からＥＰＧ情報等を送出する場合に限定されず，例えば各放送局１０２の番組情報を制作し，配信するＥＰＧサービスサーバ（図示せず。）によって，利用者端末１０１にＥＰＧを提供する場合でもよい。上記放送設備装置１２６の場合もＥＰＧサービスサーバによってＥＰＧ情報等を提供してもよい。
【００５４】
コンテンツ提供会社１０４は，ＥＣＧ制作装置１３５を備え，上記ＥＣＧ制作装置１３５は，放送局１０２がＥＣＧサービスを行う場合，例えば，番組情報に関連付けられるコンテンツメタ情報等のメタ情報を制作する。制作されたコンテンツメタ情報等は，ＥＣＧサービス会社１０５に提供される。
【００５５】
ＥＣＧサービス会社１０５には，ＥＣＧ編成／送出装置１３７を備え，上記ＥＣＧ編成／送出装置１３７は，番組メタ情報とコンテンツメタ情報とを紐付け処理する。紐付けられた番組メタ情報およびコンテンツメタ情報は，放送波又はネットワーク１０３を介して利用者側に提供される。したがって，番組メタ情報が指定されると，利用者は当該番組メタ情報に関連付けられたコンテンツメタ情報を取得でき，書籍等のコンテンツ情報を購入することができる。
【００５６】
グループ化装置１２２は，例えば，複数の放送局１０２がグループ局を構成する場合，当該各放送局１０２で送出された番組情報等を１つにまとめて，グループ化する機能を有する。したがって，各放送局１０２の番組情報複数がグループ化されることで，１つのデータから構成されることになる。
【００５７】
なお，グループ化装置１２２は，放送局１０２の放送設備装置１２６で管理する指示情報に予めグループ化する旨の設定がされていた場合，指定された放送局１０２のグループに属する放送局１０２からの番組情報等を１つにまとめる。また，グループ化装置１２２には，放送設備装置１２６が備える装置とほぼ同様の装置が備わる。
【００５８】
なお，本実施の形態にかかるＥＣＧサービス会社１０５のＥＣＧ編成／送出装置１３７は，放送局１０２（１０２ａ，１０２ｂ，１０２ｃ，１０２ｄ，…，１０２ｎ）に，それぞれ備わる場合でもよく，放送局１０２（１０２ａ，１０２ｂ，１０２ｃ，１０２ｄ，…，１０２ｎ）が１つのＥＣＧ編成／送出装置１３７を共有する場合等でもよい。
【００５９】
本実施の形態にかかるグループ化装置１２２のグループ化処理は，複数の放送局１０２からなるグループを例に挙げて説明したが，かかる例に限定されず，例えば，１又は２以上の放送局１０２と１又は２以上の受託放送事業者１２１がグループ局として構成する場合などでも実施できる。
【００６０】
ネットワーク１０３（１０３ａ，１０３ｂ）は，グループ化装置１２２と，電子メールを送受信するメールサーバ１２５と，トランザクションサーバ１２７と，利用者端末１０１（１０１ａ，１０１ｂ，…，１０１ｎ）とを相互に双方向通信可能に接続するものであり，典型的にはＡＤＳＬ（Ａｓｙｍｍｅｔｒｉｃ  Ｄｉｇｉｔａｌ  Ｓｕｂｓｃｒｉｂｅｒ  Ｌｉｎｅ）またはＦＴＴＨ（Ｆｉｂｅｒ  Ｔｏ  Ｔｈｅ  Ｈｏｍｅ）などそれに類する方法で接続するインターネットなどの公衆回線網であるが，ＷＡＮ，ＬＡＮ，ＩＰ−ＶＰＮなどの閉鎖回線網も含む。また接続媒体は，ＦＤＤＩ（Ｆｉｂｅｒ  Ｄｉｓｔｒｉｂｕｔｅｄ  Ｄａｔａ  Ｉｎｔｅｒｆａｃｅ）などによる光ファイバケーブル，Ｅｔｈｅｒｎｅｔ（登録商標）による同軸ケーブル又はツイストペアケーブル，もしくはＩＥＥＥ８０２．１１ｂなどによる無線など，有線無線を問わず，衛星通信網なども含む。
【００６１】
アンテナ１２３（１２３ａ，１２３ｂ）は，放送波を送出又は受信するための装置であり，放送局１０２から送出された番組の映像信号や，番組情報などは，上記アンテナ１２３ａを介して送出され，アンテナ１２３ｂによって受信される。受信された映像信号，番組情報等は，利用者端末１０１の画面に表示される。
【００６２】
トランザクションサーバ１２７は，利用者側に属す利用者端末１０１と提供側に属す放送局１０２等との双方向サービスを行うため利用者側からの多種な情報を送信先の装置に適切に送信する。例えば，利用者端末１０１から番組の録画予約情報が送信されると，メールサーバ１２５に送信したりする。
【００６３】
ここで，送信元の利用者端末１０１から送信された電子メールは，メールサーバ１２５に一度送信され，管理保有される。なお，上記利用者端末１０１は，ＳＭＴＰ（Ｓｉｍｐｌｅ  Ｍａｉｌ  Ｔｒａｎｓｆｅｒ  Ｐｒｏｔｏｃｏｌ）に従い，上記電子メールをメールサーバに送信するが，かかる例に限定されない。
【００６４】
メールサーバ１２５は，例えば，電子メールに含まれる送信先の宛先（メールアドレス）ごとに割当てられたメールボックスに，送信されてくる電子メールを格納する。なお，メールアドレスに該当するメールボックスが存在しない場合，メールサーバ１２５は，他のメールサーバに，例えばＳＭＴＰ等のプロトコルに従い，電子メールを転送してもよい。
【００６５】
メールサーバ１２５は，利用者端末１０１によって所定時間ごとに，ＰＯＰ３（Ｐｏｓｔ  Ｏｆｆｉｃｅ  Ｐｒｏｔｏｃｏｌ  Ｖｅｒｓｉｏｎ３）などのプロトコルに従い，自己のメールアドレスに該当するメールボックスに格納された電子メールを送信するよう要求される。
【００６６】
なお，メールサーバ１２５は，例えば録画予約された番組の放送時間の所定時間前まで，録画予約を通知するための電子メールを保有する必要があるため，メールボックスに存在する電子メールを所定時間になるまで，利用者端末１０１から要求されても送信拒否するか，またはメールボックスに保存された電子メール一旦削除又は別の記憶領域に退避し，所定時間前に再び録画予約を通知するための電子メールを生成等の処理を行う。
【００６７】
次に，本実施の形態にかかる番組表提供システム１００について説明すると，情報提供システムでは，放送設備装置１２６やＥＰＧ送出装置１３３等が利用者端末１０１に，例えば，ＥＰＧ（電子番組表）形式などの番組表を提供する。
【００６８】
さらに，ＥＣＧサービスにおいては，ＥＣＧサービス会社１０５に備わるＥＣＧ編成／送出装置１０５が，ＥＣＧサービスの機能として，番組表だけでなく，さらに上記番組表を介して利用者に，番組に関連する詳細情報や，電子ブックなどの書籍，または映画などのコンテンツを提供する。
【００６９】
なお，本実施の形態にかかる放送設備装置１２６，ＥＰＧ送出装置１３３，またはＥＣＧ編成／送出装置１３７は，番組表に含まれる番組情報を提供する場合を例に挙げて説明したが，かかる例に限定されず，例えば，番組表の代わりに，書籍リストや，ラジオ番組表などの場合であっても実施可能であるが，以下，利用者端末１０１に表示されるのはＥＰＧ形式等の番組表である場合を例に挙げて，本実施の形態にかかる番組表提供システム１００について説明する。
【００７０】
利用者端末１０１は，放送局１０２又はグループ局単位でＥＰＧ情報または番組メタ情報等を受信し，当該情報に基づき番組表を表示する。特にＥＣＧサービスの場合，番組表のうち適当な番組が選択されると，番組に関連するコンテンツを検索し，番組の詳細情報等のコンテンツを取得することができる。なお，グループ局単位で表示される番組表については後述する。
【００７１】
また，上記番組表には，１又は２以上のコンテンツが存在する。ここで，番組表のうち，コンテンツは番組情報などを含む“番組”に該当し，上記番組が複数集まることで，番組表を構成する。
【００７２】
また，本実施の形態にかかる番組表提供システム１００は，さらにアカウントアグリゲーションサーバ（図示せず。）を備える場合でもよい。アカウントアグリゲーションサーバは，視聴者（ユーザ）が番組表提供システム１００を利用する際に行われる認証，または番組表提供システム１００を利用するユーザがコンテンツ等を購入する際に行われる課金・決済を，放送局１０２，受託放送事業者，または番組等に依存することなく一元的に行うための機能を備える。
【００７３】
つまり，アカウントアグリゲーションサーバを備えることにより，ユーザの認証情報を一元化し，統合認証（シングルサインオン）することが可能となり，同様に，課金・決済情報もユーザ単位に一元化することが可能となる。なお，上記一元化は，複数のユーザＩＤを統合した統合ユーザＩＤに基づき，行われる。
【００７４】
課金・決済などの全てのサービスをひとまとめとし，ひとつの統合ユーザＩＤに基づき，サービス全てに対してアクセスするための認証の代行を行う機能を持つ。例えば専用のサーバにより実現される。
【００７５】
なお，アクセスとは，例えば，システムの利用，サーバへの接続，ファイルの参照，ファイルの保存，ファイルの削除，またはファイルの変更など，ネットワークを介して情報を処理する情報処理を総称していう。
【００７６】
また，映像，音楽，ゲームソフト等の著作物の権利保持者であるコンテンツホルダーのマーケティング活動上顧客情報の開示を必要とする場合，上記ユーザ情報を有効に活用することができる。上記の場合，利用者端末１０１を認証するため，例えば，電子証明書等にユーザ名，ユーザＩＤ等が含まれる形式で，アカウントアグリゲーションサーバに通知される。
【００７７】
なお，ユーザが番組表に表示されたコンテンツメタ情報から各種コンテンツを購入しようとした場合，それらのコンテンツ実体は，多種多様なコンテンツホルダーや販売会社により管理されていてもよい。
【００７８】
上記コンテンツメタ情報は，ＥＣＧ編成／送出装置１０５により記憶／保有される。また，コンテンツホルダーや広告代理店等のコンテンツ提供会社１０４に備わるＥＣＧ制作装置１３５によって，上記コンテンツメタ情報が作成される。
【００７９】
ＥＣＧ編成／送出装置１３７は，コンテンツメタ情報または番組メタ情報等をネットワーク１０３を介して送信する際に，ＢＭＬ（Ｂｒｏａｄｃａｓｔ  Ｍａｒｋｕｐ  Ｌａｎｇｕａｇｅ），ＨＴＭＬ（Ｈｙｐｅｒ  Ｔｅｘｔ  Ｍａｒｋｕｐ  Ｌａｎｇｕａｇｅ），またはＣ−ＨＴＭＬ（Ｃｏｎｔｐａｃｔ−Ｈｙｐｅｒ  Ｔｅｘｔ  Ｍａｒｋｕｐ  Ｌａｎｇｕａｇｅ）などに変換し，送信してもよい。
【００８０】
（２．１  放送設備装置１２６の説明）
次に，図２を参照しながら，本実施の形態にかかる番組表提供システム１００を構成する放送局１０２に備わる放送設備装置１２６および利用者端末１０１について説明する。図２は，本実施の形態にかかる放送局１０２および利用者端末１０１の概略的な構成を示すブロック図である。
【００８１】
図２に示すように，本実施の形態にかかる放送局１０２には，放送設備装置１２６が備わるのは上記説明の通りだが，さらに放送設備装置１２６には，映像ストリーム生成／送出装置２０１，データ放送生成／送出装置２０２，嗜好分析エンジン２０３，番組情報生成／送出装置２０４，ユーザ管理装置２０５，放送／通信送出装置２０６，および受信装置２０７が備わる。
【００８２】
映像ストリーム生成／送出装置２０１は，少なくとも中央演算処理部，入力部，表示部などを備え，映像ストリーム生成・送出装置２０１は，番組を放送するための映像ストリームを生成し，放送／通信送出装置２０６へ送信する。なお，映像ストリームは，動画像と音声データとから構成されている。
【００８３】
データ放送生成／送出装置２０２は，少なくとも中央演算処理部，入力部，表示部などを備えており，データ放送生成／送出装置２０２は，データ放送するための付加データなどを生成し，放送／通信送出装置２０６に送出する。
【００８４】
上記付加データは，ニュース，天気予報，交通情報，スポーツの結果などを放送するデータ放送用のデータである。付加データは，例えばＢＭＬ形式等で構成されている。上記映像ストリームとともに利用者端末１０１に送出されることで，番組を視聴しながら各地の天気予報を確認することができる。
【００８５】
嗜好分析エンジン２０３は，少なくとも中央演算処理部，入力部，表示部などを備えるコンピュータ装置等である。嗜好分析エンジン２０３は，ユーザ管理装置２０５から各ユーザの嗜好情報等を受信し，番組情報生成・送出装置２０４からＥＰＧ情報を受信する。
【００８６】
上記嗜好情報とＥＰＧ情報等を受信すると，嗜好分析エンジン２０３は，上記嗜好情報に基づき，各ユーザの嗜好に適合する番組を分析し，各ユーザの嗜好に適うＥＰＧ情報を抽出する。抽出されたＥＰＧ情報からはユーザが番組に興味を示す蓋然性が極めて高い番組表（以下，マイ番組表）が構成される。マイ番組表については後程説明する。
【００８７】
なお，上記マイ番組表に構成するＥＰＧ情報は，ユーザ単位に抽出される。利用者端末１０１が，マイ番組表を放送波を介して受信する場合，当該利用者端末１０１を使用する利用者用のマイ番組表を受信する必要があるため，予めマイ番組表生成時にユーザＩＤ等の識別情報を付与しておく。
【００８８】
嗜好分析エンジン２０３は，ユーザの嗜好情報に基づいてＥＰＧ情報を抽出する場合の他に，グループ局内で放送する番組の優先情報（表示ランク情報）を設定しておき，上記表示ランク情報に基づいてＥＰＧ情報を抽出する場合でもよい。上記表示ランク情報が設定されることで，利用者端末１０１が受信し，番組表を画面に表示する際に，同一時間帯に放送する番組が存在した場合，ランクが上位の番組の番組情報が表示されることになる。なお，上記表示ランク情報は，例えばグループ局内の番組毎にテーブル化してユーザ管理装置２０５に記憶されている。
【００８９】
また，上記マイ番組表をネットワーク１０３を介して受信する場合も，利用者端末１０３は，放送設備装置１２６にアクセスし，ユーザＩＤ等の識別情報を含むマイ番組表要求情報を送信すると，受信装置２０７を介して，放送／通信送出装置２０６に送信される。したがって，放送／通信送出装置２０６は上記ユーザＩＤに該当するマイ番組表を利用者端末１０１に送信することができる。当該利用者端末１０１のユーザＩＤのマイ番組情報を受信することになる。
【００９０】
なお，上記放送／通信送出装置２０６は，番組情報及び／又はコンテンツ情報をグループ化装置１２２に送出する際に，放送波配信用と，ネットワーク１０３を介して送信するためのネットワーク配信用と，２種類の情報を送信可能なように，上記種類ごとに別体として装置が構成されてもよい。
【００９１】
番組情報生成／送出装置２０４は，少なくとも中央演算処理部，入力部，表示部などを備えるコンピュータ装置等であり，番組情報生成／送出装置２０４は，１又は２以上のＥＰＧ情報を生成し，嗜好分析エンジン２０３に送出する。
【００９２】
なお，番組情報生成／送出装置２０４は，複数のＥＰＧ情報等を記憶するＥＰＧ情報データベース（ＥＰＧ情報ＤＢ）などを備えてもよい。放送局１０２内に備わる編成端末等（図示せず。）からの指示で，ＥＰＧ情報ＤＢに記憶されたＥＰＧ情報等を呼び出し，送出することができる。
【００９３】
上記ＥＰＧ情報は，番組のタイトルや，編成，スポンサーなどの多種の情報が含まれる。ＥＰＧ情報は，例えば，番組の編成処理の段階で，作成される。なお，番組メタ情報等も，上記ＥＰＧ情報に準拠した情報である。
【００９４】
ＥＰＧ情報または番組メタ情報は，番組情報生成／送出装置２０４に接続された番組情報制作端末（図示せず。）からの指示によって，生成される。番組情報制作端末は，放送局１０２内に備わる場合でも，委託放送事業者などに備わる場合でもよい。
【００９５】
ユーザ管理装置２０５は，少なくとも中央演算処理部，入力部，表示部などを備えるコンピュータ装置であり，ユーザ管理装置２０５は，利用者端末１０１を操作する視聴者（ユーザ）が番組を視聴した履歴（視聴履歴）情報または視聴者の嗜好情報などを管理している。また，利用者端末１０１からコンテンツの購入希望があった場合，アカウントアグリゲーションサーバ（図示せず。）に決済要求等をする。
【００９６】
放送／通信送出装置２０６は，ＥＰＧ情報，番組の映像ストリームや，データ放送用の付加データ，ＥＰＧ情報等のデータをネットワーク１０３を介して送出し，またはアンテナ１２３ａを介して送出する。なお，付加データ，ＥＰＧ情報を送出する際，ＢＭＬ，ＨＴＭＬ，またはＣ−ＨＴＭＬに変換してから送出しても良い。また，送出する場合には，例えば，上記映像ストリーム，付加データ，ＥＰＧ情報が，ＴＳ（Ｔｒａｎｓｐｏｒｔ  Ｓｔｒｅａｍ）形式等に符号化され送出されても良い。
【００９７】
（２．２  利用者端末１０１の構成要素の説明）
次に，図２に示すように，本実施の形態に係る利用者端末１０１の構成要素について説明すると，利用者端末１０１には，受信部２３０，再生ブロック２３２，データ処理ブロック２３４，表示部２３５，記憶部２３６，入力部２３７，送信部２３８，および制御部２４０から構成される。
【００９８】
なお，本実施の形態にかかる入力部２３７又は制御端末１１８に備わる入力ボタン等の入力部（図示せず。）は，例えば，放送日の日付等の指定を受付ける指定受付部等に該当する。また制御端末１１８から利用者端末１０１に指示があった場合，上記入力部による指定の受付があったものとする。
【００９９】
上記再生ブロック２３２には，放送局１０２から送出されてくる映像ストリームを受信部２３０から受信し，再生する映像ストリーム再生部２４１と，付加データを受信し，再生するデータ放送再生部２４３と，ＥＰＧ情報等の番組情報から適当な番組表に加工された例えばシート番組表などを再生する番組情報再生部２４６とから構成される。なお，本実施の形態にかかる制御部２４０または番組情報再生部２４６は，例えば，番組情報を番組表のセル内に重複しないように表示させる表示制御部や，セルの表示態様を変更等する変更部等に該当する。
【０１００】
上記データ処理ブロック２３４には，ＥＰＧ情報からシート番組表を作成するシート番組表生成部２４８と，ＥＰＧ情報からお勧め番組表を作成するお勧め番組表生成部２５０と，上記シート番組表等から各利用者のマイ番組表を編集／作成するマイ番組表編集部２５２と，ユーザプロファイル・操作履歴編集部２５４と，嗜好分析エンジン２５６と，周辺機器制御２５８とから少なくとも構成されている。なお，上記嗜好分析エンジン２５６は，上記説明したのとほぼ同様な構成であるため詳細な説明は省略する。
【０１０１】
表示部２３５は，制御部２４０の指示で映像ストリーム再生部２４１，データ放送再生部２４３，または番組情報再生部２４６が表示可能なように処理し，再生するデータを表示画面に表示する。なお，表示部２０９は，例えば，ＴＶ装置又は液晶ディスプレイ装置などが例示され，静止画像のほか，音声又は動画像などを出力することも可能である。
【０１０２】
記憶部２３６は，例えば，ユーザプロファイル情報や，ユーザ操作履歴ファイル等の様々な情報を記憶管理可能である。なお記憶管理とは，例えば，所望の情報を呼び出し，取り出したり，新しい情報を適当な位置に格納したり，不要な情報を削除するなど，情報の管理全体を総称するものである。
【０１０３】
入力部２３７は，利用者から操作指示を受けることが可能なマウス，トラックボール，トラックパッド，スタイラスペン，またはジョイスティックなどのポインティングデバイスや，キーボードなどからなるが，かかる例に限定されない。なお，制御端末１１８は利用者端末１０１に接続されていないため入力部２３７には含まれないが，機能的にはほぼ入力部２３７と同様である。
【０１０４】
送信部２３８は，指定されたデータをネットワーク１０３ｂを介して放送局１０２に送信する。
【０１０５】
利用者端末１０１は，リモコン装置１１８ａ，携帯電話１１８ｂなどの制御端末１１８からの指示，または入力部２３７からの指示によって，例えば，ＶＴＲ１１７ａに対して録画予約し，目的の番組を録画することができる。なお，利用者端末１０１には，制御端末１１８からの指示を，無線又は赤外線等によって受信する制御端末受信部（図示せず。）が予め備わっている。
【０１０６】
（３．１  ＥＰＧサービスによる番組表）
ここで，図３を参照しながら，利用者端末１０１の表示画面に表示されるＥＰＧサービスによる番組表について説明する。図３は，本実施の形態にかかる利用者端末１０１の表示画面に表示された番組表の概略を説明するための説明図である。
【０１０７】
図３に示すように，利用者端末１０１の表示画面には，１又は２以上のシート番組表，お勧め番組表，マイ番組表，キーワード一覧表などの番組表が表示される。また，番組表に構成される複数の番組に関する詳細情報や，日付などを設定し，希望する日付の番組表を要求する要求設定表などが必要に応じて表示される。なお，本実施の形態にかかる要求設定表は，例えば，番組表を表示するよう要求する際に番組表の日付等を指定するための設定画面等に該当する。
【０１０８】
シート番組表には，図３に示すように，“シート番組表”の下部に“局Ａ”，“局Ｂ”，“局Ｄ”など放送局ごとに番組表の表示を切換えるためのタブ２８０ａが表示されている。また，詳細は後程説明するが，シート番組表には，例えば“局Ａ”など各放送局の番組の一覧（番組表）が例えば日付軸及び時間軸に従って表示される。なお，タブ２８０ａの表示位置は下部に限定されない。
【０１０９】
さらに，シート番組表には，例えば複数の放送局がグループ化されたグループ局（“グループ局Ａ”など。）で放送する番組の一覧が，“グループ局Ｂ”等のタブ２８０ａを入力部２３７又は制御端末１１８などで選択することで，表示されてもよい。
【０１１０】
シート番組表は，指定日付に放送局１０２または受託放送事業者１２１等で放送する番組に係るＥＰＧ情報に基づき，シート番組表生成部２４８によって生成される。
【０１１１】
上記シート番組表が作成されると，シート番組表から利用者の嗜好に適合する番組だけを抽出し，一覧表に一元化したのが，お勧め番組表である。お勧め番組表は，嗜好分析エンジン２５６によって利用者の嗜好を分析し，お勧め番組表生成部２５０がお勧め番組表を作成する。
【０１１２】
お勧め番組表は，グループ局をはじめ複数の放送局で放送される番組が番組表に含まれ，例えば，日付ごと，時間帯ごとに区分され一覧表形式に表示される。なお，詳細は後述する。
【０１１３】
さらに利用者などが利用者端末１０１を操作することでお勧め番組表を直接編集されたのが，マイ番組表である。入力部２３７からのを指示を受け，お勧め番組表からマイ番組表に加工処理するのはマイ番組表編集部２５２である。
【０１１４】
マイ番組表とお勧め番組表とは，利用者による編集の有無が特に相違する点である。お勧め番組表は，嗜好分析エンジン２５６とお勧め番組表生成部２５０によって人手を介さず自動的に作成するのに対し，マイ番組表は，お勧め番組表等の番組表を基に，よりユーザ本位に，ユーザによって加工，編集する点で相違する。
【０１１５】
お勧め番組表，マイ番組表，およびキーワード一覧表も，上記シート番組表と同様に，下部にタブ２８０ｂが表示されている。上記タブ２８０ｂを選択することで，例えば，利用者端末１０１を利用するユーザごとに表示切替をすることができる。例えば，図３に示すように，同じユーザＩＤで３人の利用者が存在する場合，タブ２８０ｂには，“たかし”，“りさ”，“ひとみ”などとユーザの名前が表示される。
【０１１６】
上記タブ２８０ｂのうちいずれかを入力部２３７等で選択すれば，選択されたユーザのお勧め番組表，マイ番組表，またはキーワード一覧表などを表示画面に表示することができる。例えば，“たかし”のタブ２８０ｂを選択した場合，“たかし”のお勧め番組表が表示される。
【０１１７】
希望する日付や週単位で番組表を要求するための要求設定表２９０も表示画面に表示される。図３に示すように，年・月・日を指定すれば，シート番組表，お勧め番組表などが作成され，表示される。なお，図３に示す日の設定は“３０”の１日単位で選択されているが，かかる例に限定されず，週単位など複数日を選択することが可能である。
【０１１８】
また，図３に示す番組詳細情報表示は，例えば番組の出演者に関するプロフィールや，前回・次回の番組の粗筋等の詳細情報が利用者端末１０１の表示画面上に表示される。
【０１１９】
（３．２  単独局のシート番組表）
次に，図４を参照しながら，番組表のうちのシート番組表が表示部２３５に表示される場合について説明する。図４は，本実施の形態にかかる表示部に表示されたシート番組表の概略的な構成を示す説明図である。
【０１２０】
図４に示すように，シート番組表には，横軸上に複数の日付及び曜日が割当てられ，表示される日付軸と，縦軸上に放送時間が割当てられ，２時間単位で時間が表示される時間軸とが構成され，さらに日付軸・時間軸上に番組情報を表示する表示領域の複数のセルがスプレットシート状に表示されている。なお，本実施の形態に係る時間軸は，番組表の横軸又は縦軸のうちいずれか一方であるが，かかる例に限定されない。
【０１２１】
なお，日付軸には，月日と曜日が表示される場合を例に挙げて説明するが，かかる例に限定されず，例えば，年月日と曜日が表示される場合などでもよい。また，時間軸には，２時間ごとに時間が時間軸に表示される場合を例に挙げて説明するが，かかる例に限定されず，例えば，１時間単位に表示される場合等でもよい。
【０１２２】
上記セルには，放送局１０２から送出されるＥＰＧ情報又は番組メタ情報等の番組情報の内容が表示される。例えば，セルには，番組のタイトル名等の情報が表示される。また，上記ＥＰＧ情報等の他にも必要に応じて，コンテンツメタ情報の有無を示す等の“アイコン”や録画予約するための“録画予約ボタン”等の情報も表示される。なお，アイコン又はボタン等は放送局１０２側又は利用者端末１０１側でデータ作成される。また，原則として１つのセル内には１番組の番組情報が表示されるものとし，１つのセルに複数の番組の番組情報は表示されない。
【０１２３】
本実施の形態にかかるアイコンは，例えば利用者端末等の情報処理装置に与えるためのコマンドを記号や図形の指標等で画面上に表示したものである。上記画面上に表示されたアイコン部分が入力部２３７などで指定・操作することによって番組情報の表示要求等のコマンドが実行される。
【０１２４】
また，図４に示す時間軸上に表示された時間は１６：００〜２４：００であるが，他の時間帯（例えば，０６：００〜１０：００等）の番組表を表示させる場合，表示画面上に表示されるスクロールバー（図示せず。）等の画面移動手段を使うことで，他の時間帯の番組の番組情報をセルに表示することができる。
【０１２５】
なお，図４に示すシート番組表は，グループ局ではなく単独の“局Ａ”のみの番組表であるため，他局の番組表を表示切替するタブが表示されていない。また，本実施の形態にかかる日付軸上には，１週間分の日付が表示される場合を例に挙げて説明したが，かかる例に限定されず，２週間単位，１０日単位など適当な期間を指定する場合等でも実施できる。
【０１２６】
上記シート番組表は，放送局が放送する予定の番組全部を単純に画面上に表示しているだけであるが，利用者は，上記シート番組表から自分が興味を示す番組，視聴する予定の番組を取捨選択し，シート番組表等から利用者個人用の番組表（マイ番組表）にカスタマイズすることができる。詳細については後述する。
【０１２７】
次に，図５を参照しながら，図４に示したシート番組表の変形例について説明する。図５は，図４に示すシート番組表の変形例を示す説明図である。なお，図５に示すシート番組表は，図４に示すシート番組表とほぼ同様な構成であるため相違点について説明する。
【０１２８】
図５（ａ）に示すシート番組表は，図４に示すシート番組表と比べて，横軸と縦軸が日付軸および時間軸からなる点で双方共通するが，図５に示すシート番組表は，日付軸に割当てられた日付の表示が１日のみである点で相違する。
【０１２９】
したがって，複数の日付分の番組表を表示する必要がないため表示画面領域が小さくて済む。特に図５に示すシート番組表は，表示画面の領域を制約上大きくできない利用者端末１０１に適し，例えばＰＤＡや，携帯電話等を例示することができる。
【０１３０】
また，図４と比較して，図５に示すシート番組表に構成するセルの表示態様が相違する。ここで，図５（ｂ）を参照すると，セル２９５には，番組が放送されるチャンネル番号と，番組のタイトル名等の番組情報と，契約の有無と，ペーパービュー料金と，メールで録画予約等をユーザに通知する有無のお知らせ通知とが区分され，各表示領域に表示される。
【０１３１】
セル２９５には，アイコンや，ボタン等の表示をする場合も実施可能であるが，表示画面の領域に適応するため，上記説明したように，セル２９５にそれぞれ区分された表示領域に最低限の情報が表示される。
【０１３２】
表示画面に番組表が表示される日付を切り換える場合，図５（ａ）に示すように，“月”，“火”，“水”，“木”，・・・からなる１又は２以上のタブ２８０ｃを入力部２３７又はリモコン等の制御端末１１８で選択することで，番組表の日付を切り換えることができる。なお，タブ２８０ｃは，上記説明の通り，曜日を選択するためのタブに用いられる。
【０１３３】
なお，本実施の形態にかかるセルを区分するために罫線が表示される場合を例に挙げて説明したが，複数のセルに区分されていれば，かかる例に限定されない。例えば，罫線が表示されない場合，罫線が破線の場合であっても実施できる。
【０１３４】
（３．３  複数の放送局のシート番組表）
次に，図６を参照しながら，複数の放送局のシート番組表が表示部２３５に表示される場合について説明する。図６は，本実施の形態にかかる表示部に表示されたシート番組表の概略的な構成を示す説明図である。
【０１３５】
図６に示すように，シート番組表には，横軸上に複数の日付及び曜日が割当てられ，表示される日付軸と，縦軸上に放送時間が割当てられ，２時間単位で時間が表示される時間軸とが構成され，さらに日付軸・時間軸上に番組情報を表示する表示領域である複数のセルがスプレットシート状に表示されている。なお，上記説明の図４に示すシート番組表とほぼ同様な構成であるため，相違する点について説明する。
【０１３６】
図６に示すシート番組表には，複数の放送局の中から適当な放送局のシート番組表を選択するため，“局Ａ”，“局Ｂ”，“局Ｃ”，“局Ｄ”，“グループ局Ａ”，“グループ局Ｂ”と明記されたタブ２８０ａが画面上に表示されている。
【０１３７】
上記タブ２８０ａを入力部２３７等で選択すると，タブ２８０ａの表示態様が変化し，アクティブ状態となり，他のタブ２８０ａとは相違するようになる。その結果，適当な放送局のシート番組表に表示切替することができる。
【０１３８】
図６に示す表示画面上には，“グループ局Ａ”のタブ２８０ａが選択されており，グループ局Ａのシート番組表が表示されている。また選択された放送局名が日付軸と時間軸の交差する地点に“グループ局Ａ”等と表示されるが，かかる例に限定されない。
【０１３９】
また，本実施の形態に係るグループ局Ａには，ローカル局と全国局とのグループ，ローカル局同士のグループなど，かかる例に限定されない。例えば，グループ局Ａは，ＡＡＡ局，ＢＢＢ局，ＣＣＣ局，ＲＲＲ局，ＹＹＹ局，ＺＺＺ局，ＡＸＺ局などから構成される。
【０１４０】
次に，図７を参照しながら，図６に示したシート番組表の変形例について説明する。図７は，図６に示すシート番組表の変形例を示す説明図である。なお，図７に示すシート番組表は，表示選択された放送局がグループ局Ａであるため日付軸と時間軸の交差する地点にグループ局Ａと表示される点を除き，図５に示すシート番組表とほぼ同様な構成であり，詳細な説明は省略する。
【０１４１】
（３．４  お勧め番組表）
次に，図８を参照しながら，番組表のうちお勧め番組表が表示部２３５に表示される場合について説明する。図８は，本実施の形態にかかる表示部に表示されたお勧め番組表の概略的な構成を示す説明図である。
【０１４２】
図８に示すように，お勧め番組表には，横軸上に複数の日付及び曜日が割当てられ，表示される日付軸と，縦軸上に放送時間が割当てられ，２時間単位で時間が表示される時間軸とが構成され，さらに日付軸・時間軸上に複数のセルがスプレットシート状に表示されている。なお，図８に示すお勧め番組表と上記説明の図４又は図６に示すシート番組表とほぼ同様な構成であるため，相違する点について説明する。
【０１４３】
なお，日付軸には，月日と曜日が表示される場合を例に挙げて説明するが，かかる例に限定されず，例えば，年月日と曜日が表示される場合などでもよい。また，時間軸には，２時間ごとに時間が表示される場合を例に挙げて説明するが，かかる例に限定されず，例えば，１時間単位に表示される場合等でもよい。
【０１４４】
お勧め番組表は，放送局１０２からのＥＰＧ情報等に基づいて作成されたシート番組表から，利用者端末１０１によって各利用者の嗜好情報を基に加工・作成される利用者ごとの番組表である。
【０１４５】
したがって，上記複数のセルには，利用者端末１０１に備わる嗜好分析エンジン２５６によって抽出された利用者が興味を示す蓋然性の高い番組のタイトル名等の情報が表示される。なお，セルに表示するためのＥＰＧ情報等の情報源は，図４で説明したのとほぼ同様である。
【０１４６】
本実施の形態にかかる嗜好情報は，例えば，ユーザ名，誕生日，住所，趣味，興味ある番組のジャンル名などからなり，利用者が予めＥＰＧサービスなどを利用する際に登録するプロファイル情報や，どんな種類の番組情報を閲覧したか等の利用者の操作履歴情報等を例示することができる。
【０１４７】
なお，本実施の形態にかかるお勧め番組表は，利用者端末１０１側で作成し，表示画面上に表示される場合を例に挙げて説明したが，かかる例に限定されず，例えば放送局１０２側で作成する場合でも実施可能である。さらに，一旦放送局１０２側で作成されたお勧め番組表を利用者１０２側で自動的に嗜好分析エンジン２５６によって再度加工する場合でも良い。
【０１４８】
また，図８に示すお勧め番組表には，同じ利用者端末１０１を使用する複数の利用者の中から適当な利用者のお勧め番組表を選択するため，“たかし”，“りさ”，“ひとみ”と利用者名が明記されたタブ２８０ｂが画面上に表示されている。
【０１４９】
上記タブ２８０ｂを入力部２３７等で選択すると，タブ２８０ｂの表示態様が変化し，アクティブ状態となり，他のタブ２８０ｂとは相違するようになる。その結果，適当な利用者のお勧め番組表に表示切替することができる。
【０１５０】
例えば，利用者が“りさ”である場合，上記“りさ”と表記されたタブ２８０ｂを入力部２３７等で選択すると，“りさ”のタブ２８０ｂがアクティブ状態となり，“りさ”のお勧め番組表が画面上に表示されることになる。
【０１５１】
次に，図９を参照しながら，図８に示したお勧め番組表の変形例について説明する。図９は，図８に示すお勧め番組表の変形例を示す説明図である。なお，図９に示すお勧め番組表は，図５又は図７に示すシート番組表の構成とほぼ同様な構成であるため相違点について説明する。
【０１５２】
図９に示すお勧め番組表は，利用者毎に作成されるため，表示選択された利用者が“りさ”であるため日付軸と時間軸の交差する地点に“りさ”と表示される点を除き，図５又は図７に示すシート番組表とほぼ同様な構成である。
【０１５３】
なお，図９に示すタブ２８０ｃは，表示される“りさ”のお勧め番組表の曜日を切換えるためのタブであり，図８に示すユーザ（利用者）を切換えるためのタブではないが，利用者を切換える場合，例えば利用者端末１０１に備わるメニュー画面を表示するためのメニューボタン（図示せず。）を選択し，メニュー画面に表示された利用者切換画面から切換える利用者を選択することで対応する。
【０１５４】
（３．５  マイ番組表）
次に，図１０を参照しながら，番組表のうちのマイ番組表が表示部２３５に表示される場合について説明する。図１０は，本実施の形態にかかる表示部に表示されたマイ番組表の概略的な構成を示す説明図である。
【０１５５】
図１０に示すように，マイ番組表には，横軸上に複数の日付及び曜日が割当てられ，表示される日付軸と，縦軸上に放送時間が割当てられ，２時間単位で時間が表示される時間軸とが構成され，さらに日付軸・時間軸上に複数のセルがスプレットシート状に表示されている。なお，図１０に示すマイ番組表と上記説明の図４，図６，または図８に示すシート番組表や，お勧め番組表とほぼ同様な構成であるため，相違する点について説明する。
【０１５６】
なお，日付軸には，月日と曜日が表示される場合を例に挙げて説明するが，かかる例に限定されず，例えば，年月日と曜日が表示される場合などでもよい。また，時間軸には，２時間ごとに時間が表示される場合を例に挙げて説明するが，かかる例に限定されず，例えば，１時間単位に表示される場合等でもよい。
【０１５７】
マイ番組表は，放送局１０２からのＥＰＧ情報等に基づいて作成されたシート番組表またはお勧め番組表等から，利用者が利用者端末１０１を操作することで，各利用者のスケジュールや，要望に見合った自分だけの番組表に加工することができる。したがって，全視聴者向けのＥＰＧ形式の番組表よりも個人用にカスタマイズされているため視認しやすく，番組の検索を最小限に抑えることができる。
【０１５８】
表示画面上には，日付・時間帯ごとに上記複数の各セルに，利用者が利用者端末１０１を操作し，選択された番組のタイトル名や出演者等の情報が表示される。なお，セルに表示するためのＥＰＧ情報等の情報源は，図４で説明したのとほぼ同様である。
【０１５９】
図１０に示すように，画面に表示されているのはマイ番組表であると示すため，日付軸と時間軸との交差する箇所に，“マイ番組表”と表示されているが，かかる例に限定されない。
【０１６０】
また，利用者の操作によって複数の番組がシート番組表等から選択されると，当該選択されたシート番組表等の番組の放送日付と時間帯と対応するマイ番組表のセルに当該番組の番組情報等が表示される。
【０１６１】
図１０に示すように，上記番組がマイ番組表のセルに表示されるとセルの表示態様が例えばグレー色等に変化し，番組が選択されていることを示しているが，かかる例に限定されず，例えば，単純にセル内に番組情報等を表示するだけでもよい。
【０１６２】
また，図１０に示すマイ番組表には，番組が選択されない箇所のセルには何ら表示されないが，かかる例に限定されず，例えば，放送局１０２側で設定した表示ランクの高い番組等を表示する場合でも実施できる。
【０１６３】
上記番組情報が表示されたセルには，番組のタイトル名や，出演者名等の他に，図１０に示すように，“（Ａ）”，“（Ｂ）”，または“（Ｃ）”等のように表示ランクが表示される。
【０１６４】
上記表示ランクは，例えば，キーワード一覧表等の番組表に表示された番組の中から表示ランク情報が設定された場合，マイ番組表のセルに表示される。表示ランクは，例えば“（Ａ）”が最も優先度が高いランクを示し，（Ａ）が付された番組は最優先に視聴する場合等を表わす。キーワード一覧表については，後程説明する。
【０１６５】
なお，本実施の形態にかかる表示ランク情報は，利用者によってキーワード一覧表に表示された番組の中から設定される場合を例に挙げて説明したが，かかる例に限定されず，例えば，放送局１０１側で表示ランク情報を設定する場合であっても実施可能である。または利用者用の表示ランク情報（利用者表示ランク情報など。）を設ける場合でもよい。
【０１６６】
また，図８に示すお勧め番組表等のように，同じ利用者端末１０１を使用する複数の利用者の中から適当な利用者のお勧め番組表を選択するための利用者名が明記されたタブ２８０ｂが図１０に示すマイ番組表には，表示されていないが，利用者名が明記されたタブ２８０ｂを表示する場合であっても実施できる。
【０１６７】
次に，図１１を参照しながら，図１０に示したマイ番組表の変形例について説明する。図１１は，図１０に示すマイ番組表の変形例を示す説明図である。なお，図１１に示すマイ番組表は，図５，図７，または図９に示すシート番組表，お勧め番組表の構成とほぼ同様な構成であるため相違点について説明する。
【０１６８】
図９に示すマイ番組表は，マイ番組表であることを示すため，日付軸と時間軸の交差する地点に“マイ番組表”と表示される点を除き，図５，図７，図９に示すシート番組表，お勧め番組表とほぼ同様な構成である。
【０１６９】
また，マイ番組表は，利用者端末１０１又は放送局１０１側で自動的に作成されるシート番組表およびお勧め番組表と比べて，利用者によって，所望とする複数の番組が選択されている点で相違する。
【０１７０】
なお，図１１に示すタブ２８０ｃは，表示されるマイ番組表の曜日を切換えるためのタブであり，利用者を切換えるためのタブではない。したがって，利用者を切換える場合，例えば，利用者端末１０１に備わるメニュー画面を表示するためのメニューボタン（図示せず。）を選択し，メニュー画面に表示された利用者切換画面から切換える利用者を選択することで対応する。
【０１７１】
（４．１  番組情報について）
次に，本実施の形態にかかる番組情報について説明する。番組情報は，番組メタ情報またはＥＰＧ情報などを例示することができる。なお，上記番組メタ情報は，ＥＰＧ情報に準拠する情報である。
【０１７２】
ＥＰＧ形式の番組を配信等するＥＰＧサービスでは，上記ＥＰＧ情報が番組情報として用いられるが，ＥＣＧサービスでは，番組情報として番組メタ情報を用い，さらにコンテンツメタ情報と，番組メタ情報とコンテンツメタ情報とを紐付けることで，番組とコンテンツとを関連付ける「ひも付けメタ情報」などが用いられる。
【０１７３】
なお，特に記載がない場合，本実施の形態にかかるひも付けメタ情報をＥＣＧ情報とするが，かかる例に限定されず，例えば，ＥＣＧ情報には，番組メタ情報，コンテンツメタ情報，ひも付けメタ情報などが含まれても良い。
【０１７４】
ＥＰＧ情報は，ＴＶ番組を検索するための電子番組表データである。ＥＰＧ情報を各利用者端末１０１に配信する場合，現状の放送波におけるＳＩ（Ｓｙｓｔｅｍ  Ｉｎｆｏｒｍａｔｉｏｎ）やインターネット上のＥＰＧ情報を配信するＥＰＧサービスサーバ等（ＥＰＧサービスごとに内容は一部異なる。）によって，配信される。
【０１７５】
ＥＰＧサービスを拡張した上記ＥＣＧサービスを利用することにより，検索対象がテレビ番組に限定されず，ネットワーク１０３を介して取得可能な各種コンテンツまで検索対象とすることができ，検索された各種コンテンツを入手することができる。
【０１７６】
番組メタ情報は，ＥＣＧサービスとして提供されるメタ情報のうち，番組に関連するメタ情報である。番組メタ情報は，例えば，番組に関連する番組名，ジャンル，または出演者などを例示することができる。
【０１７７】
番組メタ情報は，上記説明の通り，ＥＰＧ情報に準拠する情報であり，配信するためには，現状の放送波におけるＳＩやインターネット上のＥＰＧサービスサーバ１０８（ＥＰＧサービスごとに内容は一部異なる。）により，配信される情報に類する。番組メタ情報は，ＥＰＧ情報のデータ構造と相違するが，番組メタ情報がＥＰＧ情報として表現されても内容は実質同じである。
【０１７８】
コンテンツメタ情報は，ＥＣＧサービスに含まれるメタ情報である。また，コンテンツメタ情報は，ひも付けメタ情報によって，番組メタ情報と紐付けられており，番組メタ情報をアクセスすることで，適宜必要なコンテンツメタ情報を取得することができる。なお，コンテンツメタ情報に基づいて，さらにアクセスすると，番組に関連する書籍やＣＤ等のコンテンツ実体を購入またはアクセス可能となる。
【０１７９】
上記コンテンツメタ情報は，例えば，ＵＲＩ（Ｕｎｉｖｅｒｓａｌ  Ｒｅｓｏｕｒｃｅ  Ｉｄｅｎｔｉｆｉｅｒ）であるコンテンツ実体の所在情報（場所情報），名称，カテゴリ，著者などの人名，コンテンツ実体の制作者名，上記コンテンツ実体を提供するサービス有効期限などを例示することができる。なお，ＵＲＬは，上記ＵＲＩの体系に含まれる。
【０１８０】
ＥＰＧ情報は，例えば，番組のタイトル名，番組のジャンル，出演者などの情報が含まれている。番組のジャンルは，放送される番組のジャンルを示し，例えば，ドラマや，音楽，またはバラエティなどを例示することができる。出演者は，例えば，出演者の芸名または略称等を示しているが，かかる例に限定されない。
【０１８１】
なお，番組メタ情報は，上記ＥＰＧ情報とほぼ同様な構成であるが，かかる例に限定されず，例えば，さらに出演者の属性（“俳優”，“歌手”，“スポーツ選手”，“コメディアン”，または“画家”など。）が含まれる場合等でも実施可能である。
【０１８２】
コンテンツメタ情報は，例えば，楽曲に関連するコンテンツの場合，“曲名”，“アーティスト名”，“レコード会社名”，または“楽曲購買サイトＵＲＬ”などの楽曲に関連する情報が含まれる。
【０１８３】
さらには，コンテンツを販売する“店名”または“所在地”などのお店に関するコンテンツメタ情報や，“商品名”または“商品購買サイトＵＲＬ”などの商品に関するコンテンツメタ情報や，“利用者からのアクセスを促進したいサイトのＵＲＬ”などの勧誘に関するコンテンツメタ情報等を例示することができる。
【０１８４】
なお，本実施の形態にかかるコンテンツメタ情報は，楽曲，お店，賞品，または勧誘に該当するメタ情報である場合を例に挙げて説明したが，例えば，番組に関連するもの等であれば，かかる例に限定されない。
【０１８５】
また，本実施の形態にかかるコンテンツメタ情報には，上記説明したように楽曲に関連する情報や，お店に関する情報，勧誘に関する情報等が記述される。例えば，コンテンツメタ情報が映画のＤＶＤに関する情報の場合，コンテンツメタ情報には，当該ＤＶＤを販売する店名，お店の所在地，ＤＶＤの商品名，お店等のアクセスサイトのＵＲＬ等が記述される。
【０１８６】
（５.１  番組表の作成処理について）
次に，図１２を参照しながら，本実施の形態にかかる番組表の作成処理について説明する。図１２は，本実施の形態にかかる番組表の作成処理の概略を示す説明図である。
【０１８７】
図１２に示すように，シート番組表，お勧め番組表，キーワード一覧表，またはマイ番組表等の番組表は，ＥＰＧ情報や，番組メタ情報，ＥＣＧ情報，またはコンテンツメタ情報に基づいて作成される。
【０１８８】
ＥＰＧ情報，番組メタ情報，コンテンツメタ情報，またはＥＣＧ情報からは，まずシート番組表が作成され，シート番組表から嗜好分析エンジン２５６等によってお勧め番組表が作成されたり，キーワード一覧表が作成されたりする。
【０１８９】
マイ番組表は，上記シート番組表，お勧め番組表，またはキーワード番組表を素材として，上記各番組表を利用者端末１０１によって加工されることで，作成される。
【０１９０】
なお，利用者は，利用者端末１０１の電源投入時に画面に表示される番組表を予め設定しておくことが可能である。例えば，上記シート番組表，お勧め番組表，マイ番組表，またはキーワード番組表のうち，マイ番組表を電源投入時の初期画面として設定しておくことで，初期画面が表示される度にマイ番組表が表示される。
【０１９１】
ここで，本実施の形態にかかる番組表提供システム１００にかかる各処理について説明する。まず，図１３を参照しながら，本実施の形態にかかる事前登録処理について説明する。図１３は，本実施の形態にかかる事前登録処理の概略を示すフローチャートである。
【０１９２】
（５.２  事前処理）
図１３に示すように，番組表提供システム１００のサービスを利用するため，利用者端末１０１に備わる入力部２３７または制御端末１１８等を利用者が操作し，放送設備装置１２６に備わる放送・通信送出装置２０６にネットワーク１０３を介してアクセスする。なお，上記放送・通信送出装置２０６は，クライアントである利用者端末１０１の要求に応答可能なサーバの機能も有している。
【０１９３】
次に，放送・通信送出装置２０６にアクセスすると，当該装置から，利用者端末１０１に対し，ユーザ登録するための登録画面情報が送出され，利用者端末１０１の画面にユーザ登録画面（図示せず。）が表示される。
【０１９４】
利用者は，入力部２３７等を操作することで，画面上に表示されたユーザ登録画面の該当箇所に，例えばユーザ名，住所，誕生日等の必要事項を入力し，画面に表示された“登録ボタン”を押下すると，ユーザプロファイル・操作履歴編集部２５４は，ユーザ登録情報を生成し，送信部２３０を介して放送局１０２側に送信する。なお，生成されたユーザ登録情報は，ユーザプロファイル情報として記憶部２３６に記憶される。
【０１９５】
放送局１０２又は受託放送事業者１２１が上記ユーザ登録情報を受信すると，当該ユーザ登録情報に含まれるユーザプロファイル情報は，放送設備装置１２６内に備わるユーザ管理装置２０５に利用者ごとに記憶される。
【０１９６】
ユーザ登録画面を介して，ユーザ登録情報が放送局１０２側に送信されると，放送・通信送出装置２０６またはＥＰＧ送出装置１３３によって，ユーザ登録が行われる（Ｓ１３０１）。パスワード又はユーザＩＤ等の識別情報については，例えばユーザ登録時に発行される場合でもよく，後程郵便などで郵送されても良い。
【０１９７】
次に，利用者は，利用者端末１０１の表示部２３５に表示される嗜好情報入力画面（図示せず。）を介して，該当項目に例えば，興味のある番組のジャンルや，趣味などを入力する（Ｓ１３０３）。
【０１９８】
入力された嗜好情報は，ユーザプロファイル・操作履歴編集部２５４によって，予め記憶部２３６に記憶された該当する利用者のユーザプロファイル情報に追加され，記憶部２３６に記憶される。
【０１９９】
また，番組を視聴した履歴を残すため，利用者は，予めメニュー画面（図示せず。）などから環境設定画面（図示せず。）を表示し，視聴履歴の保存するように設定しておく。視聴履歴が保存されるように設定されると，ユーザプロファイル・操作履歴編集部２５４は，ユーザ操作履歴ファイルを生成する。なお生成初期時のファイルは情報が何もなく空のファイルである。また，ユーザ登録をした時点で視聴履歴の保存が自動的に設定される場合や，視聴履歴の保存を設定するよう自動的に上記環境設定画面を表示し，誘導する場合等でも実施可能である。
【０２００】
なお，本実施の形態にかかるユーザ登録処理は，放送局１０２に対して行ったが，かかる例に限定されず，例えば，受託放送事業者１２１に対して行う場合でも同様にして実行される。また，ユーザ登録後のログイン処理については登録先の放送局１０２に限らず，他のグループ局，放送局等についてもシングルサインオンなどによって，同様にサービスを利用することができる。
【０２０１】
（５.３  グループ局のグループ化処理）
次に，図１４を参照しながら，本実施の形態にかかるグループ局におけるグループ化処理について説明する。図１４は，本実施の形態にかかるグループ局におけるグループ化処理の概略を示すフローチャートである。
【０２０２】
本実施の形態にかかるグループ局におけるグループ化処理は，例えば，１日に１回などの運用で実行される日次処理や，１月に１回実行される月次処理などを例示することがでる。また，グループ化処理は，主にバッチ処理で行われる。
【０２０３】
図１４に示すように，まず，グループ局が存在するか否か確認処理することから開始する（Ｓ１４０１）。確認処理としては，複数のグループ局を管理するグループ局管理テーブル（図示せず。）を読み込み，各グループ局の存在の有無を確認する。したがって，グループ局でない単独の放送局１０２等であれば，上記グループ化処理は行われない。
【０２０４】
例えば，グループ局管理テーブルに，“グループ局Ａは，ＸＸＸ局，ＹＹＹ局，ＺＺＺ局から構成されている旨のレコードが登録されていた場合，上記グループ局Ａのレコードを読み込み，上記３つ放送局がグループ局に存在することを確認する。
【０２０５】
なお，図１４に示すグループ化処理は，例えば，複数のグループ局についてグループ化処理を実行するグループ化装置１２２が，一括して処理を実行しているが，グループ化装置１２２を備えれば，かかる例に限定されず，例えば，グループ化処理を他社に委託して全グループ局のグループ化処理を代行する等の場合や，各グループ局に構成する放送局がグループ化処理を実行する場合等でも良い。
【０２０６】
グループ局が存在した場合，次に，グループ局内に存在する各放送局の番組情報を収集する（Ｓ１４０３）。なお，番組情報は，例えば，ＥＰＧ情報や，番組メタ情報，コンテンツメタ情報等を例示することができる。
【０２０７】
また，番組情報を収集するため，上記説明のグループ局管理テーブルを参照し，登録されたグループ局内に存在する各放送局のアクセス先を取得し，ネットワーク１０３を介して放送局１０２にアクセスする。
【０２０８】
例えば，グループ局管理テーブルにＸＸＸ局，ＹＹＹ局，ＺＺＺ局からなるグループ局Ａが登録されており，上記ＸＸＸ局のアクセス先が，“ｈｔｔｐ：／／ｗｗｗ．ｘｘｘ．ｃｏ．ｊｐ／ｅｐｇ−ｄａｔａ／”等の場合，当該ＵＲＬ先にアクセスし，上記ＥＰＧ情報（“ｅｐｇ−ｄａｔａ”）を取得する。なお，上記アクセス先は，ＥＰＧ情報の格納先を示している。
【０２０９】
ＥＰＧ情報を取得すると，次に，グループ局の指示の有無を確認する（Ｓ１４０５）。上記グループ局の指示とは，所定の時間帯に放送される番組は，グループ局内の指定放送局の番組を優先したり，所定の期間に放送される番組については特典がある等のキャンペーンを告知したりするための指示情報を例示することができる。上記グループ局の指示情報は，予めグループ局管理テーブルの該当するグループ局の格納位置に記憶される。
【０２１０】
次に，グループ局の指示情報が存在した場合（Ｓ１４０５），グループ局管理テーブルに格納された指示情報を参照した上で，グループ局内に存在する放送局１０２のＥＰＧ情報等の番組情報を選択する（Ｓ１４０７）。
【０２１１】
例えば，１９：００の時間帯に放送する番組については，グループ局Ａ内のＸＸＸ局の番組を優先する旨の指示情報がグループ局管理テーブルに格納されていれば，上記指示情報を参照すると，上記時間帯については，ＸＸＸ局の番組が番組表に表示するため当該番組のＥＰＧ情報を抽出する。
【０２１２】
また，かかる例に限定されず，例えば，利用者端末１０１側でシート番組表等を作成する場合，作成後のシート番組表等の番組表に優先して当該番組が表示されるよう，ＥＰＧ情報に最優先の表示ランク情報を付加したりする。
【０２１３】
なお，グループ局の指示情報が存在しない場合（Ｓ１４０５），ＥＰＧ情報等の番組情報の選択処理は行われず，次の処理に続く。
【０２１４】
次に，グループ化装置１２２内に備わるユーザ管理装置２０５がサービスを利用する利用者のユーザプロファイル情報を記憶している場合（Ｓ１４０９），嗜好分析エンジン２０３が各利用者の嗜好分析を行い番組の表示ランクの優先順位を決定する（Ｓ１４１１）。優先順位が決定した表示ランクは，例えば，表示ランク情報としてＥＰＧ情報等の番組情報に付加される。
【０２１５】
なお，ユーザプロファイル情報は，利用者が登録時の例えば放送局１０２又は受託放送事業者１２１に備わるユーザ管理装置２０５に記憶されるが，グループ局を構成する際に，グループ化装置１２２に備わるユーザ管理装置２０５にも同期してユーザプロファイル情報が記憶される。
【０２１６】
また，上記嗜好分析は，例えば，ユーザプロファイル情報に含まれる嗜好情報の各項目について重み付け等が行われ，分析される。さらに，利用者端末１０１から利用者の操作履歴情報が送信されていた場合，当該操作履歴情報についても重み付け等が行われ，嗜好情報と操作履歴情報とから嗜好分析される。
【０２１７】
次に，決定した番組表の表示ランクに応じて，番組表に番組情報を配置する（Ｓ１４１３）。なお，本実施の形態では，表示ランクに従って，シート番組表またはお勧め番組表にＥＰＧ情報を配置する（Ｓ１４１３）が，係る例に限定されない。
【０２１８】
また，番組表に番組情報を配置する際に，放送日が同じで放送時間帯が重複する場合，表示ランクを比較し，優先度が高い番組情報を番組表内のセルに配置するとともに，当該配置されたセルの表示態様を例えば，グレー色などの表示色等に変更する（Ｓ１４１３）。
【０２１９】
なお，上記重複する場合，本実施の形態にかかるセルには表示ランクが最高の番組情報が表示される場合を例に挙げて説明したが，かかる例に限定されない。例えば，表示された番組情報の階層下に候補となる他の番組情報がレイヤごとに表示されてもよい。この場合，最上位の階層がセルに表示される番組情報であるが，例えば，その下の階層となる他の番組情報は，それよりも薄く限りなく透明にちかい状態でそれぞれ表示される。
【０２２０】
さらに重複する他の番組情報については，上記配置された番組情報とリンク付けてキャッシュしておく。なお，表示ランクが定められていない番組情報同士の場合については，例えば放送局名順などによって，いずれかの番組情報が配置される。以上の一連の処理で，グループ局のシート番組表が作成されることとなる。
【０２２１】
なお，本実施の形態にかかるグループ化処理では，シート番組表が作成される場合を例に挙げて説明したが，かかる例に限定されず，シート番組表を作成する前段階の番組情報が取得されるところまで実行され，シート番組表の作成については，利用者端末１０１側で処理する場合でも実施できる。
【０２２２】
（５.４  利用者端末１０１による番組表の作成処理）
次に，図１５を参照しながら，本実施の形態にかかる利用者端末１０１による番組表の作成処理について説明する。図１５は，本実施の形態にかかる利用者端末１０１による番組表の作成処理の概略を示すフローチャートである。
【０２２３】
図１５に示すように，まず，利用者端末１０１の電源を投入すると（Ｓ１５０１），制御部２４０は，内部タイマ（図示せず。）を参照し，今日の日付を初期値として設定する（Ｓ１５０３）。
【０２２４】
なお，電源投入後（Ｓ１５０１），利用者は利用者端末１０１又は放送局１０２等に対してログイン処理を実行することとなるが，一度ユーザＩＤおよびパスワード等がログイン画面に入力されていれば，次回以降，手動でなく自動的に入力されたユーザＩＤおよびパスワード等を用いてログイン処理が実行されても良い。また，ログイン処理をしない場合でも実施できる。
【０２２５】
次に，当日分，１週間分，１か月分の番組表の作成処理が終了していない場合（Ｓ１５０５），まず当日分の番組表の作成処理から開始し（Ｓ１５０７），指定された日の番組情報を取得するため記憶部２３６にアクセスする（Ｓ１５０９）。ここでは指定日は当日を示す。記憶部２３６に該当の番組情報が無い場合，ネットワーク１０３を介して放送局１０２にアクセスし該当の番組情報を受信する（Ｓ１５０９）。なお，放送局１０２のアクセス先は，ログインした放送局１０２を指すが，かかる例に限定されず，放送局１０２のアクセスの一覧をアクセス管理テーブル（図示せず）等に登録することで，他の放送局１０２についても番組情報を取得することができる。本実施の形態では，番組情報としてＥＰＧ情報を受信する。
【０２２６】
また，本実施の形態にかかる番組情報の受信は，利用者端末１０１がネットワーク１０３を介して放送局１０２にアクセスする場合に限定されず，番組情報を放送波で放送局１０２からカルーセル方式等で送出することで，利用者端末１０１が受信する場合等も実施できる。
【０２２７】
次に，シート番組表作成部２４８は，受信又は記憶されたＥＰＧ情報をグループ局の場合は，グループ化処理し，そうでない場合は，上記ＥＰＧ情報に基づき，シート番組表を作成する（Ｓ１５１１）。なお，グループ局の場合で，当日放送される番組のうち時間帯が重複する番組が存在する場合，上記説明の通り，セル内の表示態様を変更する等の重複処理が行われる。
【０２２８】
次に，記憶部２３６に記憶されたユーザプロファイル情報等に基づき，嗜好分析エンジン２５６によって，利用者の嗜好を分析し，番組ごとの優先度を決定して，お勧め番組表に配置するＥＰＧ情報を選出することで，お勧め番組表を作成する（Ｓ１５１３）。
【０２２９】
ここで，さらに図１６を参照しながら，本実施の形態にかかるお勧め番組表の作成処理について説明する。図１６は，本実施の形態にかかるお勧め番組表の作成処理の概略を示すフローチャートである。
【０２３０】
図１６に示すように，まず，指定日の番組情報を記憶部２３６から取得する（Ｓ１６０１）。既にシート番組表が作成されている場合，シート番組表から番組情報を取得しても良い。なお，本実施の形態では，番組情報はＥＰＧ情報であるが，番組メタ情報等でも実施できる。
【０２３１】
次に，上記説明したように，嗜好分析エンジン２５６によって，記憶部２３６に記憶されたユーザプロファイル情報に基づき，利用者の嗜好分析する。お勧め番組表生成部２５０は，その結果に従って，利用者が興味を示す蓋然性が高い番組を選択する。
【０２３２】
お勧め番組表生成部２５０は，選択した番組にかかるＥＰＧ情報をお勧め番組表生成部２５０の該当日付・放送時間帯に対応するセル内に表示されるよう，お勧め番組表のデータを定義する（Ｓ１６０３）。
【０２３３】
選択した全ての番組のＥＰＧ情報がお勧め番組表の適当なセルに配置された場合（Ｓ１６０３），お勧め番組表生成部２５０は，セル内に配置されたＥＰＧ情報が重複していないかチェックし，重複した番組が存在した場合（Ｓ１６０５），実際にお勧め番組表に表示するＥＰＧ情報を決定する。表示するＥＰＧ情報の決定は，例えば，番組の表示ランク情報に基づいて決定される。
【０２３４】
お勧め番組表に表示するＥＰＧ情報が決定すると，表示ランクが最優先のＥＰＧ情報がお勧め番組表の該当セルに表示されるようにお勧め番組表のデータを再定義し，ＥＰＧ情報を並べ替える（Ｓ１６０７）。
【０２３５】
例えば，お勧め番組情報のデータ構造上，同一セル内に複数のＥＰＧ情報が定義され，最上段に定義されたＥＰＧ情報だけが表示される場合は，表示ランクが最優先のＥＰＧ情報が最上段になるよう並び替えられる。
【０２３６】
また，上記説明したように，番組の重複により同一セル内に複数の番組情報が存在する場合，セルの表示色を例えばグレー色などに変更することで，利用者側に迅速に効率よく視認させることができる。以上で，一連のお勧め番組表の作成処理が終了する。
【０２３７】
図１５に示すように，お勧め番組表の作成処理が終了すると（Ｓ１５１３），次にキーワードをもとに，キーワード一覧表の作成を実行する（Ｓ１５１５）。なお，詳細は後述するが，キーワードについては，予め利用者がユーザ登録時，または登録後，適当なキーワードを１又は２以上選択し，記憶部２３６に記憶しておく。以上で，当日分の番組表の作成処理が終了する。
【０２３８】
次に，当日分の番組表の作成が終了すると，初期設定された本日の日付を１日加算し，１日加算された指定日付に係る番組情報を記憶部２３６から取得する。既に記憶部２３６に当該番組情報が記憶されていた場合，その番組情報を使う。
【０２３９】
指定日付に該当する番組情報が記憶部２３６に格納されていない場合，ネットワーク１０３を介して，番組情報を保有する放送局１０２にアクセスし，指定日付に該当する番組情報を受信する（Ｓ１５２１）。
【０２４０】
次に，シート番組表作成部２４８は，受信又は記憶されたＥＰＧ情報をグループ局の場合は，グループ化処理し，そうでない場合は，上記ＥＰＧ情報に基づき，シート番組表を作成する（Ｓ１５２３）。なお，グループ局の場合で，当日放送される番組のうち時間帯が重複する番組が存在する場合，上記説明の通り，セル内の表示態様を変更する等の重複処理が行われる。
【０２４１】
次に，記憶部２３６に記憶されたユーザプロファイル情報等に基づき，嗜好分析エンジン２５６によって，利用者の嗜好を分析し，番組ごとの優先度を決定して，お勧め番組表に配置するＥＰＧ情報を選出することで，お勧め番組表を作成する（Ｓ１５２５）。なお，図１６に示す本実施の形態にかかるお勧め番組表の作成処理は，上記説明したのとほぼ同様な構成であるため詳細な説明は省略する。
【０２４２】
お勧め番組表の作成処理が終了すると（Ｓ１５２５），キーワードをもとに，キーワード一覧表の作成が実行され（Ｓ１５２７），１週間分の内，１日分の番組表の作成処理が終了する。
【０２４３】
以後，１週間分の番組表の作成が終了するまで（Ｓ１５１７），Ｓ１５１９〜Ｓ１５２７の処理が継続されるが，事前に利用者端末１０１が該当する番組情報を受信し，番組表が作成されていた場合，例えば，当日分の番組表を作成完了した時点で，１週間分の番組表の作成処理を終了する場合でもよい。
【０２４４】
次に，１ヶ月分の番組表作成するため（Ｓ１５２９），１週間分の処理が終了した時点で初期設定された本日の日付をさらに１日加算し（Ｓ１５３１），上記１日加算された指定日付に係る番組情報を記憶部２３６から取得する。既に記憶部２３６に当該番組情報が記憶されていた場合，その番組情報を使う。
【０２４５】
指定日付に該当する番組情報が記憶部２３６に格納されていない場合，ネットワーク１０３を介して，番組情報を保有する放送局１０２にアクセスし，指定日付に該当する番組情報を受信する（Ｓ１５３３）。
【０２４６】
次に，シート番組表作成部２４８は，受信又は記憶されたＥＰＧ情報をグループ局の場合は，グループ化処理し，そうでない場合は，上記ＥＰＧ情報に基づき，シート番組表を作成する（Ｓ１５３５）。なお，グループ局の場合で，当日放送される番組のうち時間帯が重複する番組が存在する場合，上記説明の通り，セル内の表示態様を変更する等の重複処理が行われる。
【０２４７】
次に，記憶部２３６に記憶されたユーザプロファイル情報等に基づき，嗜好分析エンジン２５６によって，利用者の嗜好を分析し，番組ごとの優先度を決定して，お勧め番組表に配置するＥＰＧ情報を選出することで，お勧め番組表を作成する（Ｓ１５３７）。なお，図１６に示す本実施の形態にかかるお勧め番組表の作成処理は，上記説明したのとほぼ同様な構成であるため詳細な説明は省略する。
【０２４８】
お勧め番組表の作成処理が終了すると（Ｓ１５３７），キーワードをもとに，キーワード一覧表の作成が実行され（Ｓ１５３９），１週間分の内，１日分の番組表の作成処理が終了する。
【０２４９】
以後，１ヶ月分の番組表の作成が終了するまで（Ｓ１５２９），Ｓ１５３１〜Ｓ１５３９の処理が継続されるが，事前に利用者端末１０１が該当する番組情報を受信し，番組表が作成されていた場合，例えば，当日分の番組表を作成完了した時点で，１週間分，１ヶ月分の番組表の作成処理を終了する場合でもよい。以上で，一連の利用者端末１０１による番組表の作成処理が終了する。
【０２５０】
なお，本実施の形態にかかる利用者端末１０１の番組表の作成処理において，シート番組表は，利用者端末１０１側で作成する場合を例に挙げて説明したが，かかる例に限定されない。例えば，既にシート番組表を放送局１０２側で作成し，利用者端末１０１に対し，放送波又はネットワーク１０３を介して送出する場合などでも実施可能である。
【０２５１】
（６  番組表の加工・編集処理）
次に，図１７を参照しながら，本実施の形態にかかる利用者端末１０１による番組表の加工・編集処理について説明する。図１７は，本実施の形態にかかる利用者端末１０１による番組表の加工・編集処理の概略を示すフローチャートである。
【０２５２】
ユーザ登録が終了し，既に利用者端末１０１によって，番組情報が受信されるようになると，利用者は，利用者端末１０１を操作して，シート番組表，お勧め番組表，キーワード一覧表，またはマイ番組表のうちいずれかの番組表を参照したり，加工・編集したりすることができる。
【０２５３】
図１７に示すように，まず本実施の形態にかかる情報提供サービス１００を利用するため，利用者は，利用者端末１０１を操作して，ログインをする（Ｓ１７０１）。なお，上記説明した通り，利用者端末１０１の電源投入時等で既にログイン処理が実行されている場合，ログインは省略される。
【０２５４】
次に，利用者端末１０１の表示部２３５の画面上に番組表を選択する番組表選択メニュー（図示せず。）が表示される。上記番組表選択メニューには，例えばシート番組表，お勧め番組表，キーワード一覧表，またはマイ番組表等の番組表名称とともに選択可能なチェックボックスやラジオボックスなどが表示される。
【０２５５】
利用者は，参照または加工・編集する対象の番組表を，番組表選択メニュー画面に表示された番組表からチェックボックスを選択し，“「決定」ボタン”等のボタンを入力部２３７等で押下する（Ｓ１７０３）。
【０２５６】
上記番組表選択メニュー画面で，シート番組表が選択された場合（Ｓ１７０３），利用者端末１０１に備わる番組情報再生部２４６は，既に作成されたシート番組表を記憶部２３６から取得し，表示部２３５の画面上に表示する（Ｓ１７０５）。
【０２５７】
表示部２３５にシート番組表が表示されると（Ｓ１７０５），シート番組表を加工・修正することができる（Ｓ１７０７）。以下，上記シート番組表の加工・編集処理について詳細に説明する。
【０２５８】
（６．１  シート番組表の加工・編集処理）
図１８を参照しながら，本実施の形態にかかるシート番組表の加工・編集処理について説明する。図１８は，本実施の形態にかかるシート番組表の加工・編集処理の概略を示すフローチャートである。
【０２５９】
シート番組表が表示部２３７の画面上に表示されるとともに，指定した日付の番組表の画面表示を要求するための要求設定表が表示される。なお，要求設定表２９０は，図３で説明した通りである。
【０２６０】
利用者は，例えば，要求設定表２９０に表示された日付のうち，２００３年９月３０日を放送期間として入力部２３７等で設定すると（Ｓ１８０１），シート番組表生成部２４８が指定された２００３年９月３０日から１週間分のシート番組表を作成し，番組情報再生部２４６が表示部２３５の画面に上記シート番組表を表示する。
【０２６１】
なお，かかる例に限定されず，例えば，２週間分や，１カ月分等のシート番組表を作成し，画面上に上記シート番組表を表示する場合でもよい。また，要求設定表２９０から日付を指定しないデフォルトの状態では，現在の日付（当日）の１週間分のシート番組表が表示される。
【０２６２】
次に，表示されたシート番組表のセルに表示された番組情報の中から，利用者は興味のある番組を選択することができる（Ｓ１８０３）。そのためには，シート番組表のセルには，選択された番組に係るＥＰＧ情報を表示する必要がある。
【０２６３】
しかしながら，特にグループ局のシート番組表の場合，同一時間帯に複数の放送局の番組が存在するため，上記同一時間帯の複数の番組から，セルに表示された番組以外の他の番組を選択する場合，別途，上記他の番組を選択するための番組選択（Ｓ１８０３）が必要となる。以下，時間帯が重複する番組が複数存在した場合の番組選択について説明する。
【０２６４】
（６．１．１  番組選択）
まず，図１９を参照しながら，本実施の形態にかかる時間帯が重複する番組が複数存在した場合のシート番組表について説明する。図１９は，本実施の形態にかかる時間帯が重複する番組が複数存在した場合のシート番組表の概略を示す説明図である。
【０２６５】
図１９に示すように，縦軸が時間で横軸が日付からなるシート番組表の複数のセルには，日付・時間帯ごとに“ＣＣＣ局  ＴＴＴ番組”等のＥＰＧ情報が表示されている。ここで，時間帯が重複する番組が複数存在するセルは，例えば，グレー色等の表示色で表示される。図１９に示すシート番組表では，“ＡＡＡ局  ＸＸＸ番組”，“ＢＢＢ局  ａａａ番組”，および“ＧＧＧ局  ＡＢＣ番組”と表示されたセルが該当する。
【０２６６】
また，図１９に示すように，シート番組表は，日付・時間から構成される番組表であり，セル内には１つの番組情報が表示されている。したがって，同時間帯に複数の放送局１０２が放送する番組が存在しても，セル内に表示される番組情報は１つであるため，同時間帯に放送される複数の番組をセル内に全て表示する番組表よりも，シート番組表全体の情報量を軽減することができ，煩雑さを回避し，シート番組表の視認性を向上することができる。
【０２６７】
なお，上記番組が複数存在するセルは，グレー色等の表示色で表示される場合を例に挙げて説明したが，かかる例に限定されず，例えば，セル内の文字が斜体や，太字などで表示される場合，複数存在する旨を表記するアイコンが表示される場合，時間帯が重複する番組が複数存在する旨を表記するタブが表示される場合などでも実施できる。
【０２６８】
次に，利用者が，例えば，“ＡＡＡ局  ＸＸＸ番組”，“ＢＢＢ局  ａａａ番組”，または“ＧＧＧ局  ＡＢＣ番組”の内いずれかの番組を他の番組に切換えて，別の番組に選択したい場合，上記番組が存在するセルを入力部２３７または制御端末１１８等で選択すると，上記セルに表示された番組のＥＰＧ情報含め他の番組にかかるＥＰＧ情報が表示される。
【０２６９】
次に，図２０を参照しながら，時間帯が重複する複数の番組情報の表示について説明する。図２０は，本実施の形態にかかる時間帯が重複する複数の番組情報の表示を概略的に示す説明図である。
【０２７０】
図２０に示すように，時間帯が重複する複数の番組情報が存在するセルを選択すると，放送局１０２ごとに複数の番組情報が一覧表示される。なお，シート番組表の場合と相違し，横軸が放送局軸，縦軸が時間軸に変更している。
【０２７１】
放送局１０２ごとにＥＰＧ情報等の番組情報がセル内に表示されるため，同時間帯に放送される番組を効率的に迅速に把握することができる。また，“▲”又は“▼”のボタンを押下することで，一画面内では表示しきれない場合，他の放送局１０２の番組情報に表示切替（スクロール）することができる。
【０２７２】
上記複数の番組情報が一覧表示された状態で，別の番組に切換選択するため，入力部２３７等で適当なセルを選択すると，図２０に示すように，セルの枠が太枠の表示に変更する（“ＣＣＣ局  ＹＹＹ番組”のセル）。上記太枠表示は，セルが選択された状態を示すアクティブ状態を意味する。なお，上記アクティブ状態は太枠表示に限定されない。
【０２７３】
図２０に示すように，例えば，“ＣＣＣ局  ＹＹＹ番組”のセルなど，適当なセルが選択されると，自動的にシート番組表の表示になり，該当のセル内の表示が先程選択した番組情報に切換わる。なお，かかる例に限定されず，例えば，“選択決定ボタン”を押下すると，シート番組表の表示になる場合等でも実施できる。
【０２７４】
上記図２０に示す時間帯が重複する番組情報の一覧表示から，シート番組表に表示が切換わると，選択した別の番組情報にセル内の表示が切り替わっている。つまり，図２１に示すように，“ＡＡＡ局  ＸＸＸ番組”から“ＣＣＣ局  ＹＹＹ番組”に選択を切換えることができる。
【０２７５】
以上から，セル内に番組情報を１つ表示する場合であっても，シート番組表の情報量を変えずに，同時間帯に複数存在する番組の番組情報を別の番組情報に効率よく切換えることができる。
【０２７６】
（６．１．２  時間帯が重複する番組情報の一覧表示）
図２０を参照しながら説明した時間帯が重なる番組情報の一覧表示画面について説明したが，さらに，かかる時間帯が重なる番組情報の一覧表示画面の変形例について図２２〜図２５を参照しながら説明する。図２２〜図２５は，図２０に示す時間帯が重なる番組情報の一覧表示画面の変形例を示す説明図である。
【０２７７】
まず，図２２を参照しながら，時間帯が重なる番組情報の一覧表示画面の変形例について説明すると，図２２に示すように，シート番組表のうち重複するＥＰＧ情報が複数存在するセル２２０１ｃが表示されている。なお，シート番組表に構成する他のセルは，図２０に示すものとほぼ同様の構成であるため省略している。
【０２７８】
上記セル２２０１ｃを入力部２３７等で選択すると，図２２に示すように，時間帯が重なる番組情報の一覧表示画面２２０３がポップアップされて，シート番組表とは別に表示される。
【０２７９】
なお，セル２２０１に表示される番組情報は，ＥＰＧ情報であり，セル２２０１には番組のタイトル名“サンダー  Ｃ”と，二ヶ国語放送（“［二］”），文字放送（“［字］”），再放送（“［再］”）など番組の属性も表示される。
【０２８０】
また，セル２２０１には，“予約”ボタンが表示され，上記“予約”ボタンが押下されると，制御部２４０等によって予約録画情報が生成され，周辺機器制御部２５８によって，外部接続のＶＴＲ１１７ａや，ＰＶＲ１１７ｂなどに予約録画情報が送信されるため，指定時刻になると番組を録画できる。さらに，利用者端末１０１から上記予約録画情報が含まれた電子メールがネットワーク１０３を介してトランザクションサーバ１２７に送信され，メールサーバ１２５で利用者への予告通知時間まで保管される。
【０２８１】
利用者は，画面上に表示された一覧表示画面２２０３のセル２２０１（２２０１ａ，２２０１ｂ，２２０１ｃ，２２０１ｄ）から適当なセルを選択し，“ＯＫ”ボタンを押下すると，選択前のセル２２０１ｃの番組情報から，選択したセル２２０１ｂの番組情報に切換わる。なお，セルを選択すると，図２２に示すように枠が太枠に表示されるが，かかる例に限定されない。また，一画面に表示できない場合，“▲”等のボタンを押下することで，他の番組情報の表示にスクロールできる。
【０２８２】
次に，図２３を参照しながら，時間帯が重なる番組情報の一覧表示画面の変形例について説明すると，図２３に示すように，シート番組表のうち重複するＥＰＧ情報が複数存在するセル２２０１ｃが表示されている。なお，シート番組表に構成する他のセルは，図２０に示すものとほぼ同様の構成であるため省略している。
【０２８３】
上記セル２２０１ｃを入力部２３７等で選択すると，図２３に示すように，時間帯が重なる番組情報の一覧表示画面２２０４が，シート番組表の選択されたセル２２０１ｃの右隣に直線水平方向に表示される。
【０２８４】
なお，本実施の形態にかかる番組情報の一覧表示画面２２０４は，シート番組表の選択されたセル２２０１の右隣りに直線水平方向に表示される場合を例に挙げて説明したが，かかる例に限定されず，例えば，左隣りまたは上下隣接するように，表示されてもよく，また，垂直方向または斜方向などいかなる方向でもよく，さらに直線ではなく曲線などの場合でも実施可能である。
【０２８５】
利用者は，画面上に表示された一覧表示画面２２０４のセル２２０１（２２０１ａ，２２０１ｂ，２２０１ｃ，２２０１ｄ）から適当なセルを選択し，“ＯＫ”ボタンを押下すると，例えば，選択前のセル２２０１ｃの番組情報から，選択したセル２２０１ｂの番組情報に切換わる。なお，セルを選択すると，図２３に示すように枠が太枠に表示されるが，かかる例に限定されない。
【０２８６】
次に，図２４を参照しながら，時間帯が重なる番組情報の一覧表示画面の変形例について説明すると，図２４に示すように，シート番組表のうち重複するＥＰＧ情報が複数存在するセル２２０１ｃが表示される。なお，シート番組表に構成する他のセルは，図２０に示すものとほぼ同様の構成であるため省略している。
【０２８７】
上記セル２２０１ｃを入力部２３７等で選択すると，図２４に示すように，時間帯が重なる番組情報の一覧表示画面２２０５が，シート番組表の選択されたセル２２０１ｃの下に隣接するように，直線垂直方向に表示される。
【０２８８】
なお，本実施の形態にかかる番組情報の一覧表示画面２２０５は，シート番組表の選択されたセル２２０１の右隣りに直線垂直方向に表示される場合を例に挙げて説明したが，かかる例に限定されず，例えば，左隣りまたは上下隣接するように，表示されてもよく，また，水平方向または斜方向などいかなる方向でもよく，さらに直線ではなく曲線などの場合でも実施可能である。
【０２８９】
利用者は，画面上に表示された一覧表示画面２２０５のセル２２０１（２２０１ａ，２２０１ｂ，２２０１ｃ，２２０１ｄ）から適当なセルを選択し，“ＯＫ”ボタンを押下すると，例えば，選択前のセル２２０１ｃの番組情報から，選択したセル２２０１ｂの番組情報に切換わる。なお，セル２２０１を選択すると，図２２に示すように枠が太枠に表示されるが，かかる例に限定されない。
【０２９０】
最後に，図２５を参照しながら，時間帯が重なる番組情報の一覧表示画面の変形例について説明すると，まずシート番組表のうち重複するＥＰＧ情報が複数存在するセルが表示される。例えば，当該セルは，セルの表示色がグレー色となっている。
【０２９１】
次に適当なセルを入力部２３７等で選択すると，図２５に示すように，時間帯が重なる番組情報の一覧表示画面２２０６が，シート番組表とは別画面に表示される。なお，シート番組表の選択されたセル２２０１ｃに隣接するように，表示されてもよい。
【０２９２】
利用者は，例えば画面上に表示された一覧表示画面２２０６のセル２２０１ｂの表示領域内をクリック，または制御端末１１７等に備わるカーソルボタン等を押下すると，図２５に示すセル２２０１ｃ等に切換わる。
【０２９３】
適当な番組情報が表示されたセル２２０１のところで，入力部２３７または制御端末１１７等に備わる“決定”ボタンを選択すると，例えば，選択前のセル２２０１ｃの番組情報から，選択したセル２２０１ｂの番組情報に，シート番組表内のセルの表示が切換わる。
【０２９４】
なお，図２５に示すセル２２０１には，番組のタイトル名等を表わす番組情報の他にも，番組に関連する詳細情報や，音楽，書籍等のコンテンツを表象するアイコン６００が表示されている。上記アイコン６００は，特にＥＣＧサービスで用いられるコンテンツメタ情報に基づいて放送局１０２又は利用者端末１０１側で作成される。また，上記アイコン６００は，かかる例に限定されず，シート番組表等の番組表のセルに表示する場合であっても実施できる。
【０２９５】
ここで，図１８に戻ると，利用者がシート番組表のセルに表示された番組情報を別の番組情報に切換え，選別することで，シート番組情報のセルに表示される番組情報を，興味を示す番組の番組情報に限定することができる（Ｓ１８０３）。
【０２９６】
次に，興味のある番組が存在すれば，利用者がシート番組表のセルをダブルクリック等で選択すると，選択された番組の詳細情報画面が表示され，詳細情報を確認することができる（Ｓ１８０５）。なお，上記詳細情報の確認は，必要に応じて行われ，上記番組情報の選択（Ｓ１８０３）と併行するように行われても良い。
【０２９７】
次に，シート番組表のセルに表示された番組情報の選択が終了し，表示された番組を確認すると，シート番組表に表示された状態をマイ番組表として登録することができる。したがって，マイ番組表を使用する場合（Ｓ１８０７），“登録”ボタンを選択すると，マイ番組表として，上記選択終了後のシート番組表を記憶部２３６に記憶する。なお，時間帯が重複した分の残りの番組情報は保存されないが，必要に応じて上記マイ番組表とともに保存する場合でもよい。
【０２９８】
また，マイ番組表として登録する際に，シート番組表のセル内に表示された番組情報にランク付け（Ａ，Ｂ，Ｃ）を設定することができる。例えば，利用者が視聴する番組の優先度についてランク設定する場合などを例示することができる。ランクＡが最優先等である。
【０２９９】
なお，上記ランク設定の他にも，マイ番組表を登録する際に，各番組について録画予約又は録画通知することも実施可能である。なお，録画通知は，事前に番組単位に番組録画の通知を登録しておけば，メールサーバ１２５から各利用者端末１０１に対し，電子メールで，番組録画の通知をすることができる。
【０３００】
また，マイ番組表を使用しない場合（Ｓ１８０７），シート番組表のセルに表示された“予約”ボタンを押下することで，番組の録画予約をすることができる（Ｓ１８０９）。さらに，必要に応じて，上記説明したように録画する旨の通知（録画通知）を番組放送開始前の所定時間前に通知するように設定することができる。設定された情報は，記憶部２３６のユーザ操作履歴ファイルなどに蓄積されるとともに，放送局１０２に備わる放送／通信送出装置３０６等のサーバに保存される。
【０３０１】
次に，まだ表示画面上に表示されたシート番組表について，加工・編集処理を継続して行う場合（Ｓ１８１３），再び，要求設定表２９０から放送期間の設定，番組情報の選択（Ｓ１８０３），または詳細情報の確認（Ｓ１８０５）のうちの処理から適当な処理を選択しておく。
【０３０２】
以上の一連の処理から，本実施の形態にかかるシート番組表を表示画面に表示しながら，利用者は，シート番組表を加工・編集することができ，さらに上記加工・編集されたシート番組表をマイ番組表に登録することができる。
【０３０３】
なお，本実施の形態にかかるシート番組表をマイ番組表に登録する場合を例に挙げて説明したが，かかる例に限定されず，例えば，シート番組表のセルに表示された番組情報単位でマイ番組表に登録する場合等であっても実施可能である。
【０３０４】
なお，本実施の形態にかかるシート番組表の加工・編集処理において，シート番組表にタブ２８０ａを表示することで，他局のシート番組表に切換えながら，番組を選択し，マイ番組表に登録することができる。
【０３０５】
また，本実施の形態にかかるシート番組表の加工・編集処理は，シート番組表に限定されない。例えば，お勧め番組表，キーワード一覧表，マイ番組表などでも実施することができる。
【０３０６】
次に，再び図１７を参照すると，画面上に番組表選択メニュー（図示せず。）が表示された状態で，お勧め番組表が選択された場合（Ｓ１７０３），利用者端末１０１に備わる番組情報再生部２４６は，既に作成されたお勧め番組表を記憶部２３６から取得し，表示部２３５の画面上に表示する（Ｓ１７１１）。
【０３０７】
表示部２３５にお勧め番組表が表示されると（Ｓ１７１１），お勧め番組表を加工・修正することができる（Ｓ１７１３）。以下，上記お勧め番組表の加工・編集処理について詳細に説明するが，既に上記説明したシート番組表の加工・編集処理と共通する点については詳細な説明は省略する。
【０３０８】
（６．２  お勧め番組表の加工・編集処理）
まず，図２６を参照しながら，本実施の形態にかかるお勧め番組表の加工・編集処理について説明する。図２６は，本実施の形態にかかるお勧め番組表の加工・編集処理の概略を示すフローチャートである。
【０３０９】
お勧め番組表が表示部２３７の画面上に表示されると，指定した日付の番組表を要求するための要求設定表が表示される。なお，要求設定表２９０は，既に図３で説明した通りである。
【０３１０】
利用者は，例えば，要求設定表２９０に表示された日付のうち，２００３年９月３０日を放送期間として入力部２３７等で設定すると（Ｓ２６０１），お勧め番組表生成部２５０が作成した２００３年９月３０日から１週間分のお勧め番組表を，番組情報再生部２４６によって，表示部２３５の画面に表示される。
【０３１１】
お勧め番組表が画面に表示されることで，利用者は放送局１０２がお勧めする番組の番組情報を確認することができる（Ｓ２６０３）。その際，特にグループ局のお勧め番組表の場合，同一時間帯に複数の放送局の番組が存在するため，上記同一時間帯の複数の番組から，セルに表示された番組以外の他の番組を確認したい場合，別途，上記他の番組の表示を切換えるための番組閲覧（Ｓ２６０３）が必要となる。以下，時間帯が重複する番組が複数存在した場合の番組閲覧について説明する。
【０３１２】
（６．２．１  番組閲覧）
まず，本実施の形態にかかる時間帯が重複する番組が複数存在した場合のお勧め番組表について説明するが，かかるお勧め番組表は，既に図１９等で説明したシート番組表とほぼ同様な構成であるため詳細な説明は省略する。
【０３１３】
なお，お勧め番組表は，日付・時間から構成される番組表であり，セル内に表示される１つの番組情報は，嗜好分析によって利用者毎に番組が選択されることで，画面表示されている。したがって，利用者が興味を示す蓋然性が高い番組の番組情報ばかりが表示されることとなる。
【０３１４】
次に，図２６に示すように，お勧め番組表のセルに表示された番組情報以外にも，重複する他の番組情報に切換えて，閲覧・確認することで，お勧め番組表に表示される番組情報等の情報量を抑えることができる（Ｓ２６０３）。
【０３１５】
次に，興味のある番組が存在すれば，利用者がお勧め番組表のセルをダブルクリック等で選択すると，選択された番組の詳細情報画面が表示され，詳細情報を確認することができる（Ｓ２６０５）。なお，上記詳細情報の確認は，必要に応じて行われ，上記番組情報の確認（Ｓ２６０３）と併行するように行われても良い。
【０３１６】
次に，お勧め番組表のセルに表示された番組情報の確認が終了すると，お勧め番組表に表示された状態をマイ番組表として登録することができる。したがって，マイ番組表を使用する場合（Ｓ２６０７），“登録”ボタンを選択すると，マイ番組表として，上記選択終了後のお勧め番組表を記憶部２３６に記憶する。なお，時間帯が重複した分の残りの番組情報は保存されないが，必要に応じて上記マイ番組表とともに保存する場合でもよい。
【０３１７】
また，マイ番組表として登録する際に，お勧め番組表のセル内に表示された番組情報にランク付け（Ａ，Ｂ，Ｃ）を設定することができる（Ｓ２６１１）。例えば，利用者が視聴する番組の優先度についてランク設定する場合などを例示することができる。ランクＡが最優先等である。
【０３１８】
なお，上記ランク設定の他にも，マイ番組表を登録する際に，各番組について録画予約又は録画通知することも実施可能である。なお，録画通知は，事前に番組単位に番組録画の通知を登録しておけば，メールサーバ１２５から各利用者端末１０１に対し，電子メールで，番組録画の通知をすることができる。
【０３１９】
また，マイ番組表を使用しない場合（Ｓ２６０７），お勧め番組表のセルに表示された“予約”ボタンを押下することで，番組の録画予約をすることができる（Ｓ２６０９）。さらに，必要に応じて，上記説明したように録画する旨の通知（録画通知）を番組放送開始前の所定時間前に通知するように設定することができる。設定された情報は，記憶部２３６のユーザ操作履歴ファイルなどに蓄積されるとともに，放送局１０２に備わる放送／通信送出装置３０６等のサーバに保存される。
【０３２０】
次に，まだ表示画面上に表示されたお勧め番組表について，加工・編集処理を継続して行う場合（Ｓ２６０９），再び，要求設定表２９０から放送期間の設定（Ｓ２６０１），番組情報の閲覧（Ｓ２６０３），または詳細情報の確認（Ｓ２６０５）のうちの処理から適当な処理を選択しておく。
【０３２１】
以上の一連の処理から，本実施の形態にかかるお勧め番組表を表示画面に表示しながら，利用者は，お勧め番組表を加工・編集することができ，さらに上記加工・編集されたお勧め番組表をマイ番組表に登録することができる。
【０３２２】
なお，本実施の形態にかかるお勧め番組表をマイ番組表に登録する場合を例に挙げて説明したが，かかる例に限定されず，例えば，お勧め番組表のセルに表示された番組情報単位でマイ番組表に登録する場合等であっても実施可能である。
【０３２３】
また，本実施の形態にかかるお勧め番組表をマイ番組表に登録する際に，既にマイ番組表が保存されている場合，保存されたマイ番組表から番組情報単位又はお勧め番組表単位で更新してもよい。
【０３２４】
なお，本実施の形態にかかるお勧め番組表の加工・編集処理において，お勧め番組表にタブ２８０ａを表示することで，他局のお勧め番組表に切換えながら，番組に係る番組情報を表示し，マイ番組表に登録することができる。
【０３２５】
また，本実施の形態にかかるお勧め番組表の加工・編集処理は，お勧め番組表に限定されない。例えば，お勧め番組表，キーワード一覧表などでも実施することができる。
【０３２６】
図１７に戻り，今度は，画面上に番組表選択メニュー（図示せず。）が表示された状態で，キーワード一覧表が選択された場合（Ｓ１７０３），利用者端末１０１のキーワード一覧表生成部２５７は，既に登録されたキーワードを記憶部２３６から取得し，表示部２３５の画面上にキーワード一覧表を表示する（Ｓ１７１５）。
【０３２７】
表示部２３５にキーワード一覧表が表示されると（Ｓ１７１５），キーワード一覧表を加工・修正することができる（Ｓ１７１７）。以下，上記キーワード一覧表の加工・編集処理について詳細に説明するが，既に上記説明したシート番組表又はお勧め番組表の加工・編集処理と共通する点については詳細な説明は省略する。
【０３２８】
（１．３  キーワード一覧表の加工・編集処理）
まず，図２７を参照しながら，本実施の形態にかかるキーワード一覧表の加工・編集処理について説明する。図２７は，本実施の形態にかかるキーワード一覧表の加工・編集処理の概略を示すフローチャートである。
【０３２９】
キーワード一覧表が表示部２３７の画面上に表示されると，指定した日付の番組表を要求するための要求設定表２９０が表示される。なお，要求設定表２９０は，既に図３で説明した通りである。なお，指定日付を要求設定表２９０に設定するまでは，上記キーワード一覧表には何も表示されないか，もしくは現在日を指定日付とした番組情報が表示される。
【０３３０】
利用者は，要求設定表２９０に表示された日付のうち，例えば，２００３年９月３０日を放送期間として入力部２３７等で設定すると（Ｓ２７０１），キーワード一覧表生成部２５７が作成した２００３年９月３０日のキーワード一覧表を，番組情報再生部２４６によって，表示部２３５の画面に表示される。
【０３３１】
（キーワード一覧表）
ここで，図２８を参照しながら，本実施の形態に係るキーワード一覧表について説明する。図２８は，本実施の形態にかかるキーワード一覧表の概略を示す説明図である。
【０３３２】
図２８に示すように，表示部２３５の画面上には，要求設定表２９０とともにキーワード一覧表が表示される。要求設定表２９０に設定された指定日付“２００３年９月３０日”のキーワード一覧表２７０１が表示されている。
【０３３３】
キーワード一覧表２７０１は，横軸がキーワードとする１又は２以上のセルから構成されており，例えば，図２８に示すように，横軸のキーワードは，「サッカー」，「ダイエット」，「ニュース」，「クラシック」などを例示することができる。
【０３３４】
キーワード一覧表のセルには，図２８に示すように，番組のタイトル名などの他に，“ＢＢＢ局”など放送局１０２の放送局名や，“ＣＳ  ＺＺＺ局「２００円」”など番組がＰＰＶ（ペーパービュー）であることを知らせるメッセージや，“Ａ”，“Ｂ”，または“Ｃ”などのランクや，アイコン６００などが表示される。なお，上記ランクは，シート番組表，お勧め番組表，マイ番組表で利用者端末１０１によって設定可能なランクとほぼ同様な構成である。
【０３３５】
キーワード一覧表の特徴としては，キーワードごとに該当する番組の番組情報がキーワードの下に表示されるため，利用者の興味を示すキーワードに該当する番組情報だけを表示することができる。
【０３３６】
したがって，放送日当日に放送される番組全てを番組表として表示するよりも，情報量を大幅に抑えつつ，利用者が視聴する可能性の高い番組情報を提供することができるため，キーワード一覧表を番組表としての利用効率や，番組を検索する検索効率を向上させることができる。
【０３３７】
また，各セルは，放送時間または再生時間に応じてセルの高さが調整されるため，利用者は，縦軸又は横軸等に放送時間の表示が無くとも，キーワード一覧表から視覚的に番組の放送時間を把握することができる。
【０３３８】
なお，図２８に示すように“明日”，“次週”，“今月”とタブが表示されており，上記タブを選択することで，当日分のキーワード一覧表以外にも，明日分のキーワード一覧表などを表示することができる。タブに表示する期間は限定されずいかなる長さの期間でもよい。
【０３３９】
次に，図２９を参照しながら，本実施の形態にかかるキーワード一覧表の変形例について説明する。図２９は，図２８に示すキーワード一覧表の変形例の説明図である。なお，図２９に示すキーワード一覧表は，図２８に示すキーワード一覧表とほぼ同様の構成であるため詳細な説明は省略する。
【０３４０】
図２９に示すように，表示部２３５の表示画面上には，キーワード一覧表２７０１と，キーワード一覧表を加工または編集する加工編集画面２７０３が表示される。つまり，図２８に示す表示画面と比べて，図２９には加工編集画面２７０３が表示されている点で相違する。
【０３４１】
利用者は，加工編集画面２７０３に表示された「Ａ」ボタンや，「ＰＶＲ１」ボタン等を選択することで，セル内に表示された番組情報にランクを設定したり，番組の予約録画をすることができる。なお，セル内の「予約」ボタンと上記「ＰＶＲ１」ボタン等はほぼ同義である。
【０３４２】
例えば，適当なセルをカーソル等で利用者が選択し，セルをアクティブ状態にしてから，「Ｂ」ボタンを入力部２３７等で押下すると，番組情報にランクが付され，当該セル内に「Ｂ」と表示される。なお，かかるカーソルに限定されず，例えばポインタ等の場合でもよい。カーソルは，表示部２３５等の画面上で，入力位置，指定位置，または選択位置等を表示する下線や矩形等の記号である。
【０３４３】
さらに，図３０を参照しながら，本実施の形態にかかるキーワード一覧表の変形例について説明する。図３０は，図２８に示すキーワード一覧表の変形例の説明図である。
【０３４４】
図３０に示すように，表示部２３５の表示画面上には，キーワード一覧表２７０８が表示される。上記キーワード一覧表２７０８は，縦軸が１又は２以上の日付が割当てられる日付軸で，横軸が１又は２以上のキーワードが割当てられるキーワード軸から構成されている。
【０３４５】
キーワード一覧表２７０８の複数のセルには，上記日付とキーワードとが対応する番組のタイトル名等が表示される。なお，セル内に表示される情報は，上記図２８で説明したものとほぼ同様であるため詳細な説明は省略する。
【０３４６】
上記キーワード一覧表２７０８は，各日付・キーワードごとに放送予定の番組の番組情報が配置されているため，利用者は，今後，例えば１週間に放送される番組全てのうち，キーワードに該当した興味のある番組情報だけをチェックすることができる。
【０３４７】
なお，キーワード一覧表２７０８は，同日付・同キーワードのセルに複数の番組情報が存在した場合，例えば，複数の番組情報が存在する旨を当該セルの表示色を変更するなどによって示し，さらにセルに表示される番組情報を表示ランク情報の優先度が高いものを表示するが，かかる例に限定されない。
【０３４８】
また，図３０に示すように，“お勧め番組”，“グループ局Ａ”，“グループ局Ｂ”，または“ＸＸＸ局”のタブが表示されているが，かかる例に限定されない。なお，上記“お勧め番組”は，例えば，お勧め番組表に構成する番組情報から該当するキーワードを含む番組情報だけを抽出し，配列することで作成されたキーワード一覧表のことである。
【０３４９】
再び，図２７に戻り，要求設定表２９０で指定した日付のキーワード一覧表が表示されると（Ｓ２７０１），利用者は，表示部２３５の画面上に表示されたキーワード一覧表を閲覧することができる（Ｓ２７０３）。
【０３５０】
上記キーワード一覧表を閲覧する際，例えば，図３０に示すキーワード一覧表２７０８等のセルには，番組情報を表示する候補として複数の番組情報が存在し得る。したがって，シート番組表，またはお勧め番組表などで説明したように，表示している番組情報から他の番組情報に表示切替えする処理が必要となるが，かかる処理は，既に説明したシート番組表の番組選択（Ｓ１８０３）または番組閲覧（Ｓ２６０３）とほぼ同様であるため詳細な説明は省略する。
【０３５１】
次に，キーワード一覧表に表示されたセルを選択することで，セルに表示される番組情報よりも詳しい詳細情報を表示することができる。利用者は，例えば，気になる番組を見つけた場合，当該番組の番組情報が表示されたセルを入力部２３７等で選択すると，別の表示画面等に詳細情報が表示された詳細情報画面が表示され，選択した番組の詳細情報を確認することができる（Ｓ２７０５）。
【０３５２】
なお，本実施の形態にかかる番組の詳細情報の確認（Ｓ２７０５）は，キーワード一覧表の閲覧（Ｓ２７０３）後に，行われる場合を例に挙げて説明したが，係る例に限定されず，例えば，詳細情報の確認（Ｓ２７０５）は，キーワード一覧表の閲覧（Ｓ２７０３）と並行して，処理を行うことができる。
【０３５３】
次に，キーワード一覧表のセルに表示された番組情報の詳細情報の確認（Ｓ２７０５）等が終了すると，キーワード一覧表のセルに表示された番組情報をマイ番組表に，登録することができる。したがって，マイ番組表に登録する場合（Ｓ２７０７），“登録”ボタンを選択すると，上記選択されたセルの番組情報を記憶部２３６のマイ番組表の領域に記憶する。なお，時間帯が重複した分の残りの番組情報は保存されないが，必要に応じて上記マイ番組表とともに保存する場合でもよい。
【０３５４】
また，マイ番組表として登録する際に，キーワード一覧表のセル内に表示された番組情報にランク付け（Ａ，Ｂ，Ｃ）を設定することができる（Ｓ２６１１）。例えば，利用者が視聴する番組の優先度についてランク設定する場合などを例示することができる。ランクＡが最優先等であるが，かかる例に限定されない。例えば，ランクは，セルに表示する番組情報の表示ランクの場合等でもよい。
【０３５５】
なお，上記ランク設定の他にも，マイ番組表を登録する際に，各番組について録画予約又は録画通知することも実施可能である。なお，録画通知は，事前に番組単位に番組録画の通知を登録しておけば，メールサーバ１２５から各利用者端末１０１に対し，電子メールで，番組録画の通知をすることができる。
【０３５６】
また，マイ番組表に登録しない場合（Ｓ２７０７），キーワード一覧表のセルに表示された“予約”ボタンを押下することで，番組の録画予約をすることができる（Ｓ２７０９）。
【０３５７】
さらに，必要に応じて，上記説明したように録画する旨の通知（録画通知）を番組放送開始前の所定時間前に通知するように設定することができる。設定された情報は，記憶部２３６のユーザ操作履歴ファイルなどに蓄積されるとともに，放送局１０２に備わる放送／通信送出装置３０６等のサーバに保存される。
【０３５８】
次に，まだ表示画面上に表示されたキーワード一覧表について，加工・編集処理を継続して行う場合（Ｓ２７１３），再び，要求設定表２９０から放送期間の設定（Ｓ２７０１），番組情報の閲覧（Ｓ２７０３），または詳細情報の確認（Ｓ２７０５）のうちの処理から適当な処理を選択しておく。
【０３５９】
以上の一連の処理から，本実施の形態にかかるキーワード一覧表を表示画面に表示しながら，利用者は，キーワード一覧表を加工・編集することができ，さらに上記加工・編集されたキーワード一覧表をマイ番組表に登録することができる。
【０３６０】
なお，本実施の形態にかかるキーワード一覧表のセルに表示された番組情報単位にマイ番組表に登録する場合を例に挙げて説明したが，かかる例に限定されず，例えば，キーワード一覧表全体をそのまま，マイ番組表に登録する場合等でも実施できる。
【０３６１】
また，本実施の形態にかかるキーワード一覧表をマイ番組表に登録する際に，既にマイ番組表が保存されている場合，保存されたマイ番組表を番組情報単位又はキーワード一覧表単位で更新してもよい。
【０３６２】
また，本実施の形態にかかるキーワード一覧表の加工・編集処理の対象は，キーワード一覧表に限定されない。例えば，シート番組表，またはお勧め番組表などでも実施することができる。
【０３６３】
再び，図１７を参照すると，画面上に番組表選択メニュー（図示せず。）が表示された状態で，マイ番組表が選択された場合（Ｓ１７０３），利用者端末１０１のマイ番組表編集部２５２は，既に登録されたマイ番組表を記憶部２３６から取得し，表示部２３５の画面上にマイ番組表を表示する（Ｓ１７１９）。
【０３６４】
表示部２３５にマイ番組表が表示されると（Ｓ１７１５），マイ番組表を加工・修正することができる（Ｓ１７１７）。以下，上記マイ番組表の加工・編集処理について詳細に説明するが，既に上記説明したシート番組表，お勧め番組表，キーワード一覧表の加工・編集処理と共通する点については詳細な説明は省略する。
【０３６５】
（６．４  マイ番組表の加工・編集処理）
まず，図３１を参照しながら，本実施の形態にかかるマイ番組表の加工・編集処理について説明する。図３１は，本実施の形態にかかるマイ番組表の加工・編集処理の概略を示すフローチャートである。
【０３６６】
マイ番組表が表示部２３７の画面上に表示されると，指定した日付の番組表を要求するための要求設定表２９０が表示される。なお，要求設定表２９０は，既に図３で説明した通りである。なお，指定日付を要求設定表２９０に設定するまでは，上記マイ番組表には何も表示されないか，もしくは現在日を指定日付とした番組情報が表示される。
【０３６７】
利用者は，要求設定表２９０に表示された日付のうち，例えば，２００３年９月３０日を放送期間として入力部２３７等で設定すると（Ｓ３１０１），マイ番組表生成部２５７が作成した２００３年９月３０日のマイ番組表を，番組情報再生部２４６によって，表示部２３５の画面に表示される。なお，マイ番組表については，上記説明した通りである。
【０３６８】
次に，要求設定表２９０で指定した日付のマイ番組表が表示されると（Ｓ３３０１），利用者は，表示部２３５の画面上に表示されたマイ番組表のセルに表示された番組情報を閲覧することで，番組を確認することができる（Ｓ３３０３）。
【０３６９】
また，上記番組情報を閲覧する際，例えば，図１０等に示すマイ番組表の各セルには，番組情報の表示候補として複数の番組情報が存在し得る。
【０３７０】
同じ日付で同じ時間帯の番組の番組情報が複数存在した場合（Ｓ３１０７），シート番組表，またはお勧め番組表などで説明したように，セル内に表示された番組情報から他の番組情報に表示切替えし，番組を選択する処理（Ｓ３１１１）が必要となるが，かかる処理（Ｓ３１１１）は，既に説明したシート番組表の番組選択（Ｓ１８０３）または番組閲覧（Ｓ２６０３）とほぼ同様であるため詳細な説明は省略する。
【０３７１】
また，マイ番組表の同一セル内に複数の番組情報の候補が存在した場合，当該セルを選択すると，上記複数の番組情報の一覧画面が表示される。上記一覧画面にも番組情報毎に利用者が設定した“Ａ”，“Ｂ”，“Ｃ”等のランクが表示されるため，上記ランクは，利用者が番組情報を選択する指標となる。
【０３７２】
同日付で同時間帯の番組の番組情報が複数存在しない場合（Ｓ３１０９），セル内に表示された番組情報を確認し，必要に応じて，利用者は“録画予約”ボタンを押下することで番組を録画予約したり，利用者が当該セルをクリック等で選択することで，セルに表示される番組情報よりも詳しい詳細情報を表示したりすることができる。なお，マイ番組表のセルに“録画予約”ボタンが表示された番組であれば，画面上の全ての番組を一括して録画予約すること等も実施可能である。
【０３７３】
また，利用者は，例えば，セルに表示された番組情報から気になる番組を見つけた場合，当該番組の番組情報が表示されたセルを入力部２３７等で選択すると，別の表示画面等に詳細情報が表示された詳細情報画面が表示され，選択した番組の詳細情報を確認することもできる。
【０３７４】
なお，マイ番組表に表示された番組情報にランク設定や，各番組について録画予約又は録画通知することも実施可能である。なお，録画通知は，事前に番組単位に番組録画の通知を登録しておけば，メールサーバ１２５から各利用者端末１０１に対し，電子メールで，番組録画の通知をすることができる。録画通知が設定された旨の情報は，記憶部２３６のユーザ操作履歴ファイルなどに蓄積されるとともに，放送局１０２に備わる放送／通信送出装置３０６等のサーバに保存される。
【０３７５】
次に，まだ表示画面上に表示されたマイ番組表について，閲覧または録画予約などの設定，編集処理を継続して行う場合（Ｓ３１１３），再び，要求設定表２９０から放送期間の設定（Ｓ３１０１），番組情報の閲覧（Ｓ３１０３），または時間帯が重複する番組情報の選択（Ｓ３１０７）のうちの処理から適当な処理を選択する。
【０３７６】
以上の一連の処理から，本実施の形態にかかるマイ番組表を表示画面に表示しながら，利用者は，マイ番組表をカスタマイズすることができ，さらに上記マイ番組表に表示された番組を録画予約等することができる。
【０３７７】
マイ番組表は，各利用者が使用する番組表であり，利用者が番組を視聴するスケジュールを計画する際にマイ番組表を活用したり，利用者の嗜好に合う番組を一覧表として一元化して管理する際にマイ番組表を活用したり等，メディア視聴を活性化させる利用者のための番組表である。
【０３７８】
最後に，図１７に示すように，シート番組表の加工・編集処理（Ｓ１７０７），お勧め番組表の加工・編集処理（Ｓ１７１３），キーワード一覧表の加工・編集処理（Ｓ１７１７），またはマイ番組表の加工・編集処理（Ｓ１７２１）のうちいずれかの処理終了後，ログオフが実行され（Ｓ１７０９），一連の処理が終了する。
【０３７９】
（ＥＣＧ形式の番組表）
ここで，図３２を参照しながら，ＥＣＧサービスを利用した場合の利用者端末１０１の表示部２３５に表示される番組表について説明する。図３２は，本実施の形態にかかるＥＣＧ形式の番組表の構成を説明するための説明図である。
【０３８０】
図３２に示すように，利用者端末１０１に備わる表示部２３５には，本実施の形態にかかるＥＣＧ形式の番組表（以下，ＥＣＧ番組表という。）３２０１と，ＥＣＧ番組表３２０１の日時を選択するための日時選択画面２９１とが表示される。
【０３８１】
上記日時選択画面２９１には，番組の放送時間帯を選択する時間帯選択メニューバー２９２と，日付を選択する日付選択メニューバー２９３とが少なくとも表示されている。時間帯選択メニューバー２９２には，１時間単位，２時間単位等ごとに時間帯を示す数値がセル内に表示されており，リモコンなどの制御端末１１８や，入力部２３７等で，上下にカーソルを移動することで，適当な時間帯を選択することができる。
【０３８２】
また，日付選択メニューバー２９３にも１日単位等ごとに日付がセル内に表示されており，リモコンなどの制御端末１１８や，入力部２３７等で，上下にカーソルを移動することで，適当な日付を選択することができる。
【０３８３】
なお，日付選択メニューバー２９３内に所望の日付が表示されていない場合，日時選択画面２９１内に表示された「前日」ボタン，「先週」ボタン，「翌日」ボタン，または「次週」ボタンのうちいずれかを押下することで所望の日付を表示させることができる。
【０３８４】
日時選択画面２９１で，日付および時間帯が選択されると，それと連動して，ＥＣＧ番組表３２０１にも選択された日時の番組情報が表示される。ＥＣＧ番組表３２０１は，横軸が，曜日又は日付軸であって，縦軸が時間軸である。また，上記説明したシート番組表と同様に複数のセルに番組情報等が表示される。
【０３８５】
ＥＣＧ番組表３２０１のセルには，番組のタイトル名などの番組情報の他に，“録画予約”ボタン，アイコン６００等が表示される。上記アイコン６００は，カテゴリ等ごとに，１又は２以上の種類のアイコンが存在する。例えば，番組に関する詳細情報の存在を表象する詳細情報アイコン，番組に出演する出演者情報の存在を表象する出演者アイコン，番組に関連する音楽ＣＤ（コンパクトディスク）の販売・照会情報の存在を表象する音楽アイコンなどが存在する。
【０３８６】
利用者は，ＥＣＧ番組表３２０１のセルに表示されたアイコン６００を確認することで，番組毎に詳細情報等のコンテンツの存在状況を把握することができ，アイコンの数が多いほど，情報がリッチであることが分かる。
【０３８７】
また，利用者は，例えば，興味がある番組のセル内に表示されたアイコン６００を入力部２３７等で選択すると，利用者端末１０１は，当該アイコン６００を含む番組メタ情報と関連付くコンテンツメタ情報を参照することで，番組に関連する出演者のプロフィール情報等を別画面に表示することができる。
【０３８８】
次に，図３３を参照しながら，本実施の形態にかかる同時間帯に複数の番組情報が存在する場合のＥＣＧ番組選択画面について説明する。図３３は，本実施の形態にかかる同時間帯に複数の番組情報が存在する場合のＥＣＧ番組選択画面の概略を示す説明図である。
【０３８９】
同時間帯に複数の番組情報が存在する場合において，上記説明したように，セルに表示される番組情報以外の他の番組情報を閲覧する場合，表示された番組情報を他の番組情報に表示切換する必要がある。
【０３９０】
ＥＣＧ番組表３２０１においても，他の番組情報に表示切換するために，表示切替する番組情報が表示されたセルを選択すると，図３３に示すように，表示部２３５にＥＣＧ番組選択画面３３０１が表示される。
【０３９１】
上記ＥＣＧ番組選択画面３３０１には，セルに表示された番組情報の近傍に，同時間帯に重複して存在する複数の番組情報の候補が表示される。したがって，利用者は，上記複数の番組情報の候補からいずれか一つの番組情報を選び，リモコン等の制御端末１１８等で“決定”ボタンを押下すると，選択された番組情報にセル内の表示が切換わる。
【０３９２】
なお，本実施の形態にかかるＥＣＧ番組選択画面３３０１は，上記番組情報の候補がセルに表示されていた番組情報の右隣に羅列するように表示されているが，かかる例に限定されない。例えば，上記図２２〜図２５で説明したような構成であっても実施することができる。
【０３９３】
以上から，本実施の形態にかかる番組表提供システム１００が運用されることで，ネットワーク１０３を介して単独の放送局１０２からのＥＰＧ情報を提供するだけにとどまらず，複数の放送局１０２をグループ化し，番組情報をまとめて提供することができるようになった。
【０３９４】
また，複数の放送局１０２をグループにまとめることで、番組情報を管理し、その番組情報内で，デジタル放送、アナログ放送、衛星放送、ＢＢ放送などの放送形態に応じて，時間帯が重なる複数の番組が存在する場合，番組表に表示する番組情報の優先順位を管理することができる。
【０３９５】
利用者端末１０１に表示される番組表の一つであるシート番組表は，複数の放送局１０２が存在する場合でも，番組表の構成を縦軸に時間軸、横軸に日付軸（1週間分など複数日の設定可能）からなる１つの番組表とし，ある日時のセルには１つの番組情報しか表示しないため，利用者の番組情報の視認性を高め，番組の検索効率を向上させても，シート番組表に表示される情報量を抑えることができる。
【０３９６】
利用者端末１０１において、シート番組表に含まれる複数の番組情報から，さらに利用者の嗜好分析を行うことで，利用者の趣向にそった１つのシートで管理されるお勧め番組表を作成することができ，シート番組表よりもさらに利便性を向上させることができる。
【０３９７】
利用者端末において，お勧め番組表又はマイ番組表のセルに表示される番組情報の他にも，同時間帯に嗜好に合った複数の番組が存在した場合、利用者が簡易な操作で他の候補の番組情報を確認することができるため，効率的に番組を検索，確認し，当該番組を視聴できる。
【０３９８】
キーワード一覧表に，利用者の登録したキーワードに従って，番組表から該当する番組を抽出し，表示することで，放送の時間帯を意識せずに，キーワードの観点から番組数の大小など，興味を示す番組を確認することができる。さらに，キーワード一覧表に表示された番組を，放送時間帯の概念があるマイ番組表にも相互に登録することができるため，番組表の汎用的な活用が望める。
【０３９９】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【０４００】
上記実施形態においては，番組情報としてＥＰＧ情報を受信し，利用者端末１０１の表示画面にＥＰＧ形式の番組表を表示する場合を例にあげて説明したが，かかる例に限定されず，例えば，番組メタ情報，コンテンツメタ情報を受信し，利用者端末１０１の表示画面にＥＣＧ形式からなる番組表などを表示する場合などでも実施可能である。
【０４０１】
また，上記実施の形態においては，利用者端末１０１がネットワーク１０３を介して放送局１０２にアクセスし，番組情報の受信する場合を例にあげて説明したが，かかる例に限定されず，番組情報を放送波で放送局１０２からカルーセル方式等で送出することで，利用者端末１０１が受信する場合等も実施できる。
【０４０２】
上記実施形態においては，利用者端末１０１に備わる各部はハードウェアからなる場合を例にあげて説明したが，本発明はかかる例に限定されない。例えば，映像ストリーム再生部２４１，データ放送再生部２４３，番組情報再生部２４６等の各部のうち少なくとも一つは，１又は２以上のモジュールまたはコンポーネントから構成されるプログラムの場合であってもよい。
【０４０３】
上記実施形態においては，放送局１０２側から利用者の嗜好を分析等して，番組情報を利用者端末１０１に提供する場合を例に挙げて説明したが，かかる例に限定されない。例えば，放送局１０２に備わる放送設備装置１２６に備わる各装置とほぼ同様に受託放送事業者１２１内に備えることで，受託放送事業者１２１から提供することもできる。
【産業上の利用可能性】
【０４０４】
本発明は，番組表を表示することが可能な番組表表示方法，番組表表示装置，コンピュータプログラムに適用可能である。
【図面の簡単な説明】
【０４０５】
【図１】本実施の形態にかかる番組情報提供システムの概略的な構成を示すブロック図である。
【図２】本実施の形態にかかる放送局および利用者端末の概略的な構成を示すブロック図である。
【図３】本実施の形態にかかる利用者端末の表示画面に表示された番組表の概略を説明するための説明図である。
【図４】本実施の形態にかかる表示部に表示されたシート番組表の概略的な構成を示す説明図である。
【図５】図４に示すシート番組表の変形例を示す説明図である。
【図６】本実施の形態にかかる表示部に表示されたシート番組表の概略的な構成を示す説明図である。
【図７】図６に示すシート番組表の変形例を示す説明図である。
【図８】本実施の形態にかかる表示部に表示されたお勧め番組表の概略的な構成を示す説明図である。
【図９】図８に示すお勧め番組表の変形例を示す説明図である。
【図１０】本実施の形態にかかる表示部に表示されたマイ番組表の概略的な構成を示す説明図である。
【図１１】図１０に示すマイ番組表の変形例を示す説明図である。
【図１２】本実施の形態にかかる番組表の作成処理の概略を示す説明図である。
【図１３】本実施の形態にかかる事前登録処理の概略を示すフローチャートである。
【図１４】本実施の形態にかかるグループ局におけるグループ化処理の概略を示すフローチャートである。
【図１５】本実施の形態にかかる利用者端末による番組表の作成処理の概略を示すフローチャートである。
【図１６】本実施の形態にかかるお勧め番組表の作成処理の概略を示すフローチャートである。
【図１７】本実施の形態にかかる利用者端末による番組表の加工・編集処理の概略を示すフローチャートである。
【図１８】本実施の形態にかかるシート番組表の加工・編集処理の概略を示すフローチャートである。
【図１９】本実施の形態にかかる時間帯が重複する番組が複数存在した場合のシート番組表の概略を示す説明図である。
【図２０】本実施の形態にかかる時間帯が重複する複数の番組情報が存在する番組表表示を概略的に示す説明図である。
【図２１】本実施の形態にかかる時間帯が重複する複数の番組情報が存在する番組表表示を概略的に示す説明図である。
【図２２】図２０に示す時間帯が重なる番組情報の一覧表示画面の変形例を示す説明図である。
【図２３】図２０に示す時間帯が重なる番組情報の一覧表示画面の変形例を示す説明図である。
【図２４】図２０に示す時間帯が重なる番組情報の一覧表示画面の変形例を示す説明図である。
【図２５】図２０に示す時間帯が重なる番組情報の一覧表示画面の変形例を示す説明図である。
【図２６】本実施の形態にかかるお勧め番組表の加工・編集処理の概略を示すフローチャートである。
【図２７】本実施の形態にかかるキーワード一覧表の加工・編集処理の概略を示すフローチャートである。
【図２８】本実施の形態にかかるキーワード一覧表の概略を示す説明図である。
【図２９】図２８に示すキーワード一覧表の変形例の説明図である。
【図３０】図２８に示すキーワード一覧表の変形例の説明図である。
【図３１】本実施の形態にかかるマイ番組表の加工・編集処理の概略を示すフローチャートである。
【図３２】本実施の形態にかかるＥＣＧ形式の番組表の構成を説明するための説明図である。
【図３３】本実施の形態にかかる同時間帯に複数の番組情報が存在する場合のＥＣＧ番組選択画面の概略を示す説明図である。
【符号の説明】
【０４０６】
１００      番組表提供システム
１０１      利用者端末
１０２      放送局
１０３      ネットワーク
１１８      制御端末
２３５      表示部
２３７      入力部
２３８      送信部
２４０      制御部
２４６      番組情報再生部
２４８      シート番組表生成部
２５０      お勧め番組表生成部
２５２      マイ番組表編集部
２５４      ユーザプロファイル・操作履歴編集部
２５６      嗜好分析エンジン
【図１】
2005244869.tif 000003
【図２】
2005244869.tif 000004
【図３】
2005244869.tif 000005
【図４】
2005244869.tif 000006
【図５】
2005244869.tif 000007
【図６】
2005244869.tif 000008
【図７】
2005244869.tif 000009
【図８】
2005244869.tif 000010
【図９】
2005244869.tif 000011
【図１０】
2005244869.tif 000012
【図１１】
2005244869.tif 000013
【図１２】
2005244869.tif 000014
【図１３】
2005244869.tif 000015
【図１４】
2005244869.tif 000016
【図１５】
2005244869.tif 000017
【図１６】
2005244869.tif 000018
【図１７】
2005244869.tif 000019
【図１８】
2005244869.tif 000020
【図１９】
2005244869.tif 000021
【図２０】
2005244869.tif 000022
【図２１】
2005244869.tif 000023
【図２２】
2005244869.tif 000024
【図２３】
2005244869.tif 000025
【図２４】
2005244869.tif 000026
【図２５】
2005244869.tif 000027
【図２６】
2005244869.tif 000028
【図２７】
2005244869.tif 000029
【図２８】
2005244869.tif 000030
【図２９】
2005244869.tif 000031
【図３０】
2005244869.tif 000032
【図３１】
2005244869.tif 000033
【図３２】
2005244869.tif 000034
【図３３】
2005244869.tif 000035